(57)【要約】【課題】結束すべき紙幣の金種が変更になってもテープを交換する必要がなく、かつ結束するに必要な所定の範囲にのみ金種表示を可能とする。【解決手段】テープリール部１４に複数金種に共通して用いられ金種の特定がなされていないテープＴを巻回状態として保持させるとともにテープ供給通路上に結束すべき金種紙幣に応じてテープ上に金種を示す表示の印刷を行う印刷機構２１を配し、テープ供給時に前記印刷機構２１により少なくとも集積紙幣の周囲最外側に位置するテープの全域にわたって金種表示を印刷し、印刷済みのテープの引き出し端を集積紙幣Ｐの周囲に巻き付けたのちテープ搬送手段を逆転させてテープの弛み分を巻き締め、カッタ１０および接着鏝１３によりテープの巻き付け後端を切断するとともに熱接着し、切断後の後続テープの先端を印刷用スタート位置へ引き戻して次回の結束に備えしめるようにしたことを特徴とする。【選択図】  図２
2004262457.tif 000002
【特許請求の範囲】
【請求項１】
集積紙幣が装填されるとともに装填された集積紙幣の周囲にテープを巻き付けて結束する紙幣結束部と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、移動可能なテープチャックを有し前記テープ供給通路末端位置から前記結束空間へ突出しているテープ先端部位をテープ挟持予定位置にある前記テープチャックにより挟持するとともに該テープチャックの移動によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記テープ搬送手段と印刷機構との駆動を制御し前記紙幣結束部へ送り込まれる集積紙幣の結束に備えてテープ先端部位をテープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻き付ける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、テープカット後の次に使用すべきテープ域のテープ先端部位を前記テープ搬送手段の逆転動作により前記印刷用スタート位置に位置させ、次回の印刷に備えしめる駆動制御部とを具備することを特徴とする金種別カラー印刷可能な結束テープによる紙幣結束処理機。
【請求項２】
前記駆動制御部は、印刷設定モードと印刷無しモードとのいずれか一方を選択するモード選択指示部に接続され、この選択指示部で印刷設定モードが選択されたときは結束工程の開始時のテープ先端部位の位置を前記テープ供給通路末端位置より上流側のテープ供給通路の印刷用スタート位置に位置させ、印刷無しモードが選択されたときは結束工程の開始時のテープ先端部位の位置を前記テープ供給通路末端位置またはテープ挟持予定位置に位置させるようになされている請求項１記載の金種別カラー印刷可能な結束テープによる紙幣結束処理機。
【請求項３】
前記駆動制御部に対し、結束すべき集積紙幣の金種を入力する金種入力手段を有し、前記駆動制御部は前記金種入力手段による金種入力に基づいて前記テープ搬送手段と印刷機構との制御を行うことにより結束すべき１束分のテープ長さと印刷長さとを金種に応じて調整されるようになされている請求項１記載の金種別カラー印刷可能な結束テープによる紙幣結束処理機。
【請求項４】
前記駆動制御部に対し、結束すべき集積紙幣の枚数を入力する枚数入力手段を有し、前記駆動制御部は前記枚数入力手段による枚数入力に基づいて前記テープ搬送手段と印刷機構との制御を行うことにより結束すべき１束分のテープ長さと印刷長さとを枚数に応じて調整されるようになされている請求項１記載の金種別カラー印刷可能な結束テープによる紙幣結束処理機。
【請求項５】
前記駆動制御部に対し、結束すべき集積紙幣の金種と枚数とを入力する金種入力手段と枚数入力手段を有し、前記駆動制御部は前記金種入力手段と枚数入力手段による金種と枚数との入力に基づいて前記テープ搬送手段と印刷機構との制御を行うことにより結束すべき１束分のテープ長さと印刷長さとを金種および枚数に応じて調整されるようになされている請求項１記載の金種別カラー印刷可能な結束テープによる紙幣結束処理機。
【請求項６】
結束すべき集積紙幣が人手により装填されるとともに装填された集積紙幣の周囲にテープを巻き付けて結束する紙幣結束部と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、移動可能なテープチャックを有し前記テープ供給通路末端位置から前記結束空間へ突出しているテープ先端部位をテープ挟持予定位置にある前記テープチャックにより挟持するとともに該テープチャックの移動によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、結束すべき集積紙幣の金種を自動または手動で入力する金種入力手段と、この金種入力手段による金種入力を条件として前記テープ搬送手段と印刷機構との駆動を制御し前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻き付ける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、テープカット後の次に使用すべきテープ域のテープ先端を前記テープ搬送手段の逆転動作により前記印刷用スタート位置に位置させ、次回の印刷に備えしめる駆動制御部とを具備することを特徴とする金種別カラー印刷可能な結束テープによる紙幣結束処理機。
【請求項７】
所定金種の紙幣が結束すべき所定枚数集積される集積部と、この集積部に集積された所定金種・所定枚数の集積紙幣が送り込まれて装填されるとともにその集積紙幣の周囲にテープを巻き付けて結束を行う紙幣結束部と、前記集積部に所定金種の紙幣が結束すべき所定枚数集積されかつ前記紙幣結束部が前記集積部に集積される所定枚数の結束予定紙幣の結束準備状態に至ったとき前記集積部の所定枚数の結束予定紙幣を挟持状態で前記紙幣結束部へ送り込む集積紙幣挟持搬送機構と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、軸を中心に回転可能なテープチャックを有し前記テープ供給通路末端位置から前記結束空間へ突出しているテープ先端部位をテープ挟持予定位置にあるテープチャックにより挟持するとともに前記軸を中心としてテープチャックが集積紙幣挿入待機位置まで回転して停止しその状態で結束予定紙幣が前記紙幣結束部へ送り込まれテープチャックのその後の回転によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記テープ搬送手段と印刷機構とテープ巻き付け部とカッタ部および接着鏝部との駆動制御を行い、前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻き付ける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、前記テープ巻き付け部のテープ挟持予定位置から集積紙幣挿入待機位置への移動、この位置での集積紙幣の送り込み、集積紙幣送り込み後のテープ巻き付け部によるテープの巻き付け、テープ巻き付け後のテープ巻き締め、巻き締めされたテープ域のテープカット、テープカット後次回の結束に使用すべきテープ域のうちテープ先端部位を前記テープ搬送手段の逆転動作により前記印刷用スタート位置に位置させて次の印刷に備えしめる駆動制御部とを具備することを特徴とする金種別カラー印刷可能な結束テープによる紙幣結束処理機。
【請求項８】
所定金種の紙幣が結束すべき所定枚数集積される複数の集積部と、これら複数の集積部のいずれかに集積された所定金種・所定枚数の集積紙幣が送り込まれて装填されるとともにその集積紙幣の周囲にテープを巻き付けて結束を行う紙幣結束部と、前記集積部の少なくとも１つに所定金種の紙幣が所定枚数集積されかつ前記紙幣結束部が前記集積部に集積される結束予定紙幣の結束準備状態に至ったとき前記集積部の結束予定紙幣を挟持状態で前記紙幣結束部へ送り込む集積紙幣挟持搬送機構と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、軸を中心に回転可能なテープチャックを有し前記テープ供給通路末端位置から前記結束空間側へ突出しているテープ先端部位をテープ挟持予定位置にある前記テープチャックにより挟持するとともに軸を中心にテープチャックが集積紙幣挿入待機位置まで回転して停止しその状態で結束予定紙幣が前記紙幣結束部へ送り込まれテープチャックのその後の回転によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記集積部の少なくとも１つに所定金種で所定枚数の結束予定紙幣が集積されかつ前記紙幣結束部が結束予定紙幣の結束準備状態に至ったことに基づいて前記テープ搬送手段と印刷機構とテープ巻き付け部とカッタ部および接着鏝部との制御を行い、前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻きつける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷の可能なるテープ送り期間とし、前記テープ巻き付け部のテープ挟持予定位置から集積紙幣挿入待機位置への移動、この状態での集積紙幣の送り込み、集積紙幣送り込み後のテープチャックによるテープの巻き付け、テープ巻き付け後のテープ巻き締め、巻き締めされたテープ域のテープカット、テープカット後の次に使用すべきテープ域のうちテープ先端部位を前記テープ搬送手段の逆転動作により前記印刷用スタート位置に位置させ、次回の印刷に備えしめる駆動制御部とを具備することを特徴とする金種別カラー印刷可能な結束テープによる紙幣結束処理機。
【請求項９】
前記印刷機構が、前記テープ供給通路に位置するテープの表裏面の一方側に回転可能に設けられ金種ごとの金種別カラースタンプローラが同一円周上に配置されて自転可能に軸支された回転ディスクと、前記テープ供給通路に対し進退動可能に設けられテープ供給通路に位置するテープの一面側に前記金種別カラースタンプローラの一つが位置するとき該ローラに対しテープを押圧させて印刷を行う圧胴ローラとで構成されている請求項１〜８のいずれか１項記載の金種別カラー印刷可能な結束テープによる紙幣結束処理機。
【請求項１０】
前記印刷機構が、金種ごとのカラー印刷を行うインクジェットプリンタで構成されている請求項１〜８のいずれか１項記載の金種別カラー印刷可能な結束テープによる紙幣結束処理機。
【発明の詳細な説明】
【０００１】
【発明の属する技術分野】
本発明は、例えば所定枚数の集積紙幣を人手で紙幣結束部へ装入してテープにより結束を行う紙幣結束機、あるいは紙幣を金種別に分類してそのうちの一金種の紙幣を結束のために所定枚数集積する集積部と、ここで集積された所定枚数の集積紙幣を挟持して搬送する搬送手段と、この搬送手段で搬送される集積紙幣を受け入れてその周囲にテープを巻き付けて結束する紙幣結束部とを具えた紙幣分類結束機（通称紙幣整理機）等の紙幣結束処理機に係り、特に結束テープに金種別カラー印刷を施して紙幣束の金種を明瞭に表示するための金種別カラー印刷可能な結束テープによる紙幣結束処理機に関する。
【０００２】
【従来の技術】
従来から、所定枚数（通常１００枚）を１単位として紙幣を結束テープにより結束（帯封）し、束単位で取り扱えるようにする手段が一般に採られている。
【０００３】
従来から用いられている紙幣結束処理機は、集積紙幣が装填されるとともに装填された集積紙幣の周囲にテープを巻き付けて結束する紙幣結束部と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、移動可能なテープチャックを有し前記テープ供給通路末端位置から前記結束空間側へ突出しているテープ先端部位をテープ挟持予定位置にある前記テープチャックにより挟持するとともに該テープチャックの移動によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する構成となっている。
【０００４】
ところで上記のような紙幣結束処理機、とりわけ紙幣結束機が用いられる市場において、近時結束紙幣の金種を結束テープで判別する動きがある。その対応策として紙幣結束機のテープリール部に装填されるリール状に巻かれた結束テープについて、金種ごとに赤、黄、緑等の色の異るテープを用意し、結束すべき紙幣の金種が変更される度にテープリール部に装填されているテープリールを取り外し、結束すべき紙幣の金種に対応する色のテープが巻かれたテープリールをテープリール部に装填するようになされていた。
【０００５】
【発明が解決しようとする課題】
しかして上記従来の技術では、結束すべき紙幣の金種が変更される都度、テープリール部のリールを結束しようとする紙幣の金種を示すテープのものと交換することが余儀なくされ、金種変更の少ない分野では実用化をみても、金種変更頻度の高い分野ではテープの交換回数が多くなり、頗らわしい交換作業が強いられるとともに交換のために多くの時間を費すことになる。そのため金種変更が頻繁に行われる市場では未だ実用化までには至っていない現状におかれている。
【０００６】
このようなことから、上記従来技術の問題点を解消することを目差して次のような方策を思考した。
【０００７】
すなわち、紙幣結束機のテープリール部に複数金種の紙幣に対し共通に使用する金種が特定されないテープを装填しておき、テープリール部から引き出されたテープを紙幣結束部へ向けてさらに引き出すテープ供給通路上に、テープに対して結束紙幣の金種に対応する色の金種別カラー印刷を行う印刷機構を設け、紙幣を結束するためのテープ送り時にテープの表面に金種別カラー印刷を行うようにすることを試みた。
【０００８】
ところで集積紙幣に巻き付けられるテープは、結束工程の所定の時期にその先端がテープ供給通路の末端位置より突出した状態で位置され、テープ供給通路末端位置に臨むテープ挟持予定位置のテープチャックで挟持され、このテープチャックがテープの先端を挟持したまま紙幣結束部におかれる集積紙幣の周囲を周回動することと、テープチャックの周回移動の際にテープ供給通路に設けられているテープ搬送手段がそのテープに所定量の弛みを保たせるための正転動作を行うことでテープが集積紙幣の周囲に弛み状態で巻き付けられる。
【０００９】
次いでテープ搬送手段が逆転動作して集積紙幣の周囲に巻き付いているテープの弛み分を巻き戻し、テープを巻き締めるように作用する。
【００１０】
上記のことからも分かるように、集積紙幣の結束工程では紙幣結束部へ送り込まれるテープの長さは結束に必要とする長さに比べて著しく長いものとなる。
【００１１】
そのため前述の試験機では、結束すべき紙幣の金種に対応する色の金種別カラー印刷時に、次に結束するのに使用されるべきテープ域へも同じ金種を示す金種別カラー印刷が施されてしまい、ここで金種変更が行われると金種変更前の金種別カラー印刷が施された未使用のテープ域を鋏等を用いて人手により切除し、新たなテープ先端をテープ供給通路末端位置に位置させることが必要となる。
【００１２】
このように上記試作機によっても金種変更時に金種変更前の金種別カラー印刷が施されたテープ域の切断除去と、新たなテープ先端の位置合わせを行う作業が加わるという問題点が生じた。
【００１３】
また仮に同一金種紙幣の結束が続く場合であっても、前回の紙幣結束時に金種別カラー印刷が行われたテープの未使用のテープ域に、今回再び金種別カラー印刷が行われることになり、そのため印刷のずれが生じやすく、結束後の紙幣束の美感を損なうという問題があることが判明した。
【００１４】
本発明は、結束工程において結束すべき紙幣の金種に応じてテープの結束に要する所定の長さ範囲のみに的確にその金種の表示印刷が行えるようにして、金種変更時にテープの交換作業を全廃し、結束作業の効率化と紙幣束の金種表示ミスの発生を皆無とすることを課題としてなされたものである。
【００１５】
【課題を解決するための手段】
上記課題を解決する手段として本発明は、集積紙幣が装填されるとともに装填された集積紙幣の周囲にテープを巻き付けて結束する紙幣結束部と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、移動可能なテープチャックを有し前記テープ供給通路末端位置から前記結束空間側へ突出しているテープ先端部位をテープ挟持予定位置にある前記テープチャックにより挟持するとともに該テープチャックの移動によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記テープ搬送手段と印刷機構との駆動を制御し前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻きつける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、テープカット後の次に使用すべきテープ域のテープ先端部位を前記テープ搬送手段の逆転動作により前記印刷用スタート位置に位置させ、次回の印刷に備えしめる駆動制御部とを具備することを特徴とする。
【００１６】
ここにおいて「印刷用スタート位置」とは、印刷モード時のテープ先端の位置を指し、テープの送り方向略全域に印刷する場合は、印刷用スタート位置は印刷機構近傍の位置であり、集積紙幣の最外側のテープ域のみに印刷する場合は、印刷用スタート位置は印刷機構より所定寸法下流側（紙幣結束部側）の位置となる。なお、印刷用スタート位置は印刷機構近傍とし、印刷無しの状態で所定期間テープを送ったのち最外側のテープ域の印刷を開始させる態様としてもよい。また「テープ挟持予定位置」とは、テープチャックが一時停止する一位置で、テープ先端の挟持に備える位置であり、テープでいえばテープ先端部位がテープ搬送路から紙幣結束部側の結束空間へ突出した位置である。なおこれらの用語に関しては、すべての請求項に共通である。
【００１７】
請求項２に記載の発明は、前記駆動制御部が、印刷設定モードと印刷無しモードとのいずれか一方を選択するモード選択指示部に接続され、この選択指示部で印刷設定モードが選択されたときは結束工程の開始時のテープ先端部位の位置を前記テープ供給通路末端位置より上流側のテープ供給通路の印刷用スタート位置に位置させ、印刷無しモードが選択されたときは結束工程の開始時のテープ先端部位の位置をテープ供給通路末端位置またはテープ挟持予定位置に位置させるようにして、印刷モードと印刷無しモードとを選択的に行えるようにしたことにある。
【００１８】
請求項３に記載の発明は、前記駆動制御部に対し、結束すべき集積紙幣の金種を入力する金種入力手段を有し、前記駆動制御部は前記金種入力手段による金種入力に基づいて前記テープ搬送手段と印刷機構との制御を行うことにより結束すべき１束分のテープ長さと印刷長さとを金種に応じて調整されるようにして、大きさの異る紙幣の結束に対応することができるようにしたことにある。
【００１９】
請求項４に記載の発明は、前記駆動制御部に対し、結束すべき集積紙幣の枚数を入力する枚数入力手段を有し、前記駆動制御部は前記枚数入力手段による枚数入力に基づいて前記テープ搬送手段と印刷機構との制御を行うことにより結束すべき１束分のテープ長さと印刷長さとを枚数に応じて調整されるようにして、結束紙幣の枚数に対応することができるようにしたことにある。
【００２０】
請求項５に記載の発明は、前記駆動制御部に対し、結束すべき集積紙幣の金種と枚数とを入力する金種入力手段と枚数入力手段を有し、前記駆動制御部は前記金種入力手段と枚数入力手段による金種と枚数との入力に基づいて前記テープ搬送手段と印刷機構との制御を行うことにより結束すべき１束分のテープ長さと印刷長さとを金種および枚数に応じて調整されるようにして、結束紙幣の大きさおよび枚数の双方に対応することができるようにしたことにある。
【００２１】
請求項６に記載の発明は、結束すべき集積紙幣を人手により結束位置へ装入する形式の紙幣結束処理機であり、請求項１記載の発明に結束すべき紙幣の金種を自動または手動で入力する金種入力手段を付設し、この金種入力手段による金種入力を条件として前記駆動制御部が、前記テープ搬送手段と印刷機構との駆動を制御し前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻きつける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、テープカット後の次に使用すべきテープ域のテープ先端を前記テープ搬送手段の逆転動作により前記印刷用スタート位置に位置させ、次回の印刷に備えしめるようにしたことにある。
【００２２】
請求項７に記載の発明は、別の位置で所定枚数の紙幣を集積した集積紙幣を結束位置へ移行させて結束を行う形式の紙幣結束処理機である。すなわち、所定金種の紙幣が結束すべき所定枚数集積される集積部と、この集積部に集積された所定金種・所定枚数の集積紙幣が送り込まれて装填されるとともにその集積紙幣の周囲にテープを巻き付けて結束を行う紙幣結束部と、前記集積部に所定金種の紙幣が結束すべき所定枚数集積されかつ前記紙幣結束部が前記集積部に集積される所定枚数の結束予定紙幣の結束準備状態に至ったとき前記集積部の所定枚数の結束予定紙幣を挟持状態で前記紙幣結束部へ送り込む集積紙幣挟持搬送機構と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、軸を中心に回転可能なテープチャックを有し前記テープ供給通路末端位置から前記結束空間側へ突出しているテープ先端部位をテープ挟持予定位置にあるテープチャックにより挟持するとともに前記軸を中心としてテープチャックが集積紙幣挿入待機位置まで回転して停止しその状態で結束予定紙幣が前記紙幣結束部へ送り込まれテープチャックのその後の回転によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記テープ搬送手段と印刷機構とテープ巻き付け部とカッタ部および接着鏝部との駆動制御を行い、前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻きつける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、前記テープ巻き付け部のテープ挟持予定位置から集積紙幣挿入待機位置への移動、この位置での集積紙幣の送り込み、集積紙幣送り込み後のテープ巻き付け部によるテープの巻き付け、テープ巻き付け後のテープ巻き締め、巻き締めされたテープ域のテープカット、テープカット後次回の結束に使用すべきテープ域のうち先端部位を前記テープ搬送手段の逆転動作により前記印刷用スタート位置に位置させて次の印刷に備えしめる駆動制御部とを具備せしめたことにある。
【００２３】
なお、ここにおいて、テープ搬送手段としてはローラ構造、ベルト構造、またはその併用等適宜選択することができる。またテープ搬送手段として正逆駆動のローラとするほか、正転送りローラ（逆回転時にはワンウエイクラッチでフリー）と逆転送りローラ（正転時にはワンウエイクラッチでフリー）とを用いるようにしてもよい。
【００２４】
請求項８に記載の発明は、所定枚数の紙幣を集積する集積部を複数設けるようにした形成の紙幣結束処理機である。すなわち所定金種の紙幣が結束すべき所定枚数集積される複数の集積部と、これら複数の集積部のいずれかに集積された所定金種・所定枚数の集積紙幣が送り込まれて装填されるとともにその集積紙幣の周囲にテープを巻き付けて結束を行う紙幣結束部と、前記集積部の少なくとも１つに所定金種の紙幣が所定枚数集積されかつ前記紙幣結束部が前記集積部に集積される結束予定紙幣の結束準備状態に至ったとき前記集積部の結束予定紙幣を挟持状態で前記紙幣結束部へ送り込む集積紙幣挟持搬送機構と、巻回状態のテープを巻回状態に保持するテープリール部と、このテープリール部から引き出されるテープ域を前記紙幣結束部へ向けて供給するとともにその供給時の所定の時期に引き出されたテープ域のうちテープ先端部位を前記紙幣結束部の結束空間へ突出した状態で位置させるテープ供給通路と、軸を中心に回転可能なテープチャックを有し前記テープ供給通路末端位置から前記結束空間側へ突出しているテープ先端部位をテープ挟持予定位置にある前記テープチャックにより挟持するとともに軸を中心にテープチャックが集積紙幣挿入待機位置まで回転して停止しその状態で結束予定紙幣が前記紙幣結束部へ送り込まれテープチャックのその後の回転によりテープを集積紙幣の周囲に巻き付けるテープ巻き付け部と、前記テープ供給通路に設けられテープ先端部位挟持後のテープチャックがテープを集積紙幣の周囲に巻き付ける際にそのテープに所定量の弛みを保つテープ送り用の正転動作、および集積紙幣の周囲に巻き付けられるテープの弛み部分を巻き戻して集積紙幣の周囲に巻き付けられる部分を巻き締める逆転動作を行うテープ搬送手段と、前記紙幣結束部に設けられ前記テープ搬送手段の逆転動作により集積紙幣の周囲に巻き締めされたテープの後端部位の切断と熱接着とを行うカッタ部および接着鏝部とを具有する紙幣結束処理機において、複数金種の紙幣に共通して用いられ金種が特定されないテープを巻回保持するテープリール部と、前記テープ供給通路の途中部に設けられ結束すべき紙幣の金種に応じてテープ上にその金種に対応する金種別カラー印刷を行う印刷機構と、前記集積部の少なくとも１つに所定金種で所定枚数の結束予定紙幣が集積されかつ前記紙幣結束部が結束予定紙幣の結束準備状態に至ったことに基づいて前記テープ搬送手段と印刷機構とテープ巻き付け部とカッタ部および接着鏝部との制御を行い、前記紙幣結束部へ送り込まれる集積紙幣の結束に備えてテープ先端部位を前記テープ供給通路末端位置より上流側のテープ供給通路の印刷用スタート位置に位置させるとともに結束工程の開始と共にテープ先端部位を前記印刷用スタート位置から前記紙幣結束部のテープ挟持予定位置へ向けて搬送し、その搬送時および／またはテープチャックがテープを集積紙幣の周囲に巻きつける際にそのテープに所定量の弛みを保つテープ搬送手段の正転動作時に前記印刷機構により金種別カラー印刷を行わせ、その印刷期間は結束された際の集積紙幣の周囲最外側に位置するテープの略全域の印刷が可能となるテープ送り期間とし、前記テープ巻き付け部のテープ挟持予定位置から集積紙幣挿入待機位置への移動、この状態での集積紙幣の送り込み、集積紙幣送り込み後のテープチャックによるテープの巻き付け、テープ巻き付け後のテープ巻き締め、巻き締めされたテープ域のテープカット、テープカット後の次に使用すべきテープ域のうちテープ先端部位を前記テープ搬送手段の逆転動作により前記印刷用スタート位置に位置させ、次回の印刷に備えしめる駆動制御部とを具備せしめたことにある。
【００２５】
請求項９に記載の発明は、印刷機構の構成を特定するもので、前記印刷機構を、前記テープ供給通路に位置するテープの表裏面の一方側に回転可能に設けられ金種ごとの金種別カラースタンプローラが同一円周上に配置されて自転可能に軸支された回転ディスクと、前記テープ供給通路に対し進退動可能に設けられテープ供給通路に位置するテープの一面側に前記金種別カラースタンプローラの一つが位置するとき該ローラに対しテープを押圧させて印刷を行う圧胴ローラとで構成したことにある。
【００２６】
請求項１０に記載の発明は、同じく印刷機構を特定するもので、前記印刷機構を、金種ごとのカラー印刷を行うインクジェットプリンタとしたことにある。
【００２７】
請求項９、１０いずれの発明においても印刷機構による金種表示印刷は、連続または断続する色彩線、文字、模様等、適宜な表示形態を選択することができる。
【００２８】
【発明の実施の形態】
以下、本発明を図面に示す実施の形態を参照して説明する。
【００２９】
図１〜図１４は本発明の第１実施形態を示すもので、図１はその外観を、図２はその概要の正面図を示しており、基本形態としては、偏平状をなす外筐１の前面に横長に開口された開口部２から集積紙幣Ｐを人手によりその長手方向に挿入して結束する形態とされている。
【００３０】
この実施形態においては、紙幣結束部Ｇ１は集積紙幣Ｐの周囲をテープが周回して巻き付ける構成となっており、下記の構成を備えている。すなわちテープＴ端を挟持して集積紙幣Ｐに巻き付けるためのテープチャック３（以下チャックと略称する）の旋回機構は無端ベルト４により構成され、この無端ベルト４にはタイミングベルトが用いられていて、外筐１の前記開口部２の内方に横長短形配置とされた４個の歯付きプーリー５，６，７，８に巻装され、その一つのプーリー５が正逆駆動のモータＭ１（図１５のモータ群Ｍｘの１つ）により正転時に無端ベルト４が図２に矢印で示す方向に周回されるようになっている。
【００３１】
前記無端ベルト４で囲まれた空間のうち結束空間１Ａ（詳細は後述する）内には、集積紙幣Ｐを水平姿勢で挿入方向（図２の紙面に対し裏面方向）を長手方向として載置する載置台９が固設され、この載置台９はステンレス鋼板等の薄い金属板からなっていて集積紙幣Ｐの紙面より一周り小さい平面形状を有し、その奥端には集積紙幣Ｐの挿入位置（長手方向背部位置）を定めるストッパ（図示省略）と挿入幅方向を定める規制板（図示省略）とが設けられている。
【００３２】
前記無端ベルト４にはテープＴの先端を挟持する前記のチャック３が支持されており、このチャック３の周回軌跡の内側が前記結束空間１Ａとなる。
【００３３】
また、チャック３、無端ベルト４、後述のチャック３の開閉機構等によりテープ巻き付け部を構成している。
【００３４】
前記外筐１側には、図２、図３に模式的に示すように、前記載置台９の集積紙幣Ｐを載置する面とは反対側の面（以下裏面という）に対向して、テープＴの２点を載置台９の裏面に押し付けて保持するテープ押圧手段としての第１押圧体１１および第２押圧体１２が前記載置台９の裏面に向けて進退移動自在に設けられている。
【００３５】
また前記第１押圧体１１の側面にそってテープカッタ１０が、このカッタ１０と前記第２押圧体１２との間に接着こて１３がそれぞれ載置台９の裏面に向けて進退移動自在に設けられている。
【００３６】
以上が紙幣結束部Ｇ１の構成である。
【００３７】
前記無端ベルト４の外側方にはテープＴの繰り出しおよび巻き締めを行うテープリール部１４が配置されている。このテープリール部１４は、回転自在に支持される回転板１４ａと、その中心位置に立設される軸１５とを有し、テープリール１６は軸１５に中心孔が嵌合されてリール端縁が回転板１４ａに支持され、またテープリール１６から巻き出されるテープＴを搬送するローラ群からなるテープ供給搬送系１７を具え、末端の一対のローラ１８，１８間からテープ供給通路２０の末端を通じてテープＴの先端を定位置におかれるチャック３に向けて給送するようになっている。なおテープ供給搬送系１７とテープ供給通路２０の詳細は後述する。
【００３８】
前記テープ供給搬送系１７の途中域に印刷機構２１が配設されている。
【００３９】
この印刷機構２１は、図４、図５に取り出して示しているように、軸２２を中心に回転自在に支持された回転ディスク２３と、この回転ディスク２３の一側面の同一円周上に自転・公転自在に軸支された複数（図では６個）の各色別のカラースタンプローラ２４，２４…と、前記途中域を通るテープＴを挟んで前記カラースタンプローラ２４，２４…の一つと対向し、テープＴを当該カラースタンプローラ２４に押圧させるべく軸２５を支点に揺動するアーム２６に軸支された圧胴ローラ２７とで構成されている。
【００４０】
前記カラースタンプローラ２４は、図示の例ではその周面に２つの大径部２４ａ，２４ａを有し、前記圧胴ローラ２７でテープＴが押し付けられたときテープＴに図５に示すように２条のカラーラインＬ，Ｌ（実線図示）が印刷され、１束分のテープ長に印刷がなされると、圧胴ローラ２７がテープＴから離反したときは無印刷の余白部２８が形成されるようになっている。
【００４１】
印刷されたテープＴは、紙幣束へのテープ巻きつけ時の緊縛時にカッタ１０で切断されるが、その切断位置が図５のＺ線である。
【００４２】
その次の結束工程では、テープＴの先端は上記Ｚ線の位置となり、このＺ線が後述のセンサＳ１，Ｓ１位置であって、このＺ線よりテープＴの送り方向に僅かの余白部２８（センサＳ１，Ｓ１と圧胴ローラ２７との間の距離分の余白）をおいて次の印刷（１点鎖線で示す２条のカラーラインＬ，Ｌ）が行われる。
【００４３】
なおこの実施例では、図５において印刷最終位置（Ｚ線位置）と次の印刷開始ラインとの間にテープＴの送り方向の前記余白部２８が存在するが、この実施例では紙幣の周囲に１．３巻き程度の巻きつけを行うテープ長であり、この余白部２８はテープ２巻き部位の内側に位置するので支障がないことになる。
【００４４】
必要によりテープＴの先端をセンサＳ１，Ｓ１位置から圧胴ローラ２７位置へ戻すようにして印刷を開始させるようにしてもよい。その場合には、図５において次の結束工程では印刷はテープＴ先端のＺ線から開始されることになる。
【００４５】
結束工程のテープ切断前においては、図５のＺ線の後方に非常に長い余白部２８が形成されるが、紙幣の結束のためにテープＴが図において左方へ引き戻され、その結果図５では僅かの余白部２８をおいて次の結束工程の印刷が行われることになる。
【００４６】
前記圧胴ローラ２７のテープＴへの離接動は、前記アーム２６の中間位置にソレノイド２９のプランジャ２９ａが連結され、ソレノイド２９の解磁時に引張りバネ２６の付勢力で圧胴ローラ２７が進出し、励磁時に退去するように構成されている。
【００４７】
前記テープ供給搬送系１７は、テープＴの搬送方向下流側から上流側にかけて設けられたローラ１８，１８，１９，１９，１９’，１９’，１９”，１９”，３０，３０，３１，３１，３２，３２，３２’，３２’，３３，３４で構成されている。
【００４８】
これらのローラ群のうち、ローラ１８，１８，１９，１９，１９’，１９’，１９”，１９”，３０，３０，３１，３１は周速が等しく設定され、駆動指令信号により正転または逆転駆動される。ローラ３２，３２，３２’，３２’は、各ワンウェイクラッチを介して前述の駆動ローラ群と連動されるようになっており、正転時のみ駆動ローラ群と等しい周速でテープ送り方向に回動され、逆転時はワンウェイクラッチを介して回転が阻止される。
【００４９】
またローラ３３，３４は自由回転ローラであり、特にローラ３３，３４はそれぞれローラ３０，３０，３１，３１間、およびローラ３１，３１，３２，３２間に位置し、テープＴの引き出し時の弛みをテープ引き戻し時に吸収するため、さらにはテープＴの切断後のテープ引き戻し時に弛みを吸収するために矢印方向に移動自在に配設されている。
【００５０】
前記ローラ３３，３４は各移動機構（図示せず）に支持され、テープＴのローラ１８，１８，１９，１９，１９’，１９’，１９”，１９”，３０，３０による巻き戻し量に対応する各分担量分を緊張させるように移動する。そして次の結束工程でテープＴの送出時にその送出動作に合わせて図２の実線位置に戻される。
【００５１】
前述のローラ１８，１８，１９，１９，１９’，１９’，１９”，１９”，３０，３０，３１，３１，３２，３２，３２’，３２’はモータＭｘ（図１５のモータ群の１つ）で駆動されるが、その駆動に関しては次のようになっている。
【００５２】
上記ローラ群のうちローラ１８，１８，１９，１９，１９’，１９’とモータＭｘとの間には電磁クラッチ（１）（図示せず）が介在され、ローラ１９”，１９”，３０，３０，３１，３１，３２，３２，３２’，３２’と前記モータＭｘとの間には電磁クラッチ（２）（図示せず）が介在されている。
【００５３】
これは印刷モード時におけるローラ１８，１８，１９，１９，１９’，１９’，１９”，１９”，３０，３０，３１，３１，３２，３２，３２’，３２’の駆動を考慮したもので、印刷無しモード時は、モータＭｘの正転駆動、逆転駆動時に電磁クラッチ（１）および（２）を同時に作動状態とすればよい。
【００５４】
ところが印刷モード時の印刷動作中は圧胴ローラ２７がテープＴの圧胴ローラ２７部位を撓ませることにより、そのためにローラ１８，１８，１９，１９，１９’，１９’は停止状態においてローラ１９”，１９”，３０，３０，３１，３１，３２，３２，３２’，３２’をその弛み達成のための所定量だけテープＴを送る必要がある。
【００５５】
それ故、圧胴ローラ２７がテープＴをカラースタンプローラ２４に押しつけるとき、モータＭｘと電磁クラッチ（２）が作動状態となり、まずローラ１９”，１９”，３０，３０，３１，３１，３２，３２，３２’，３２’が所定量テープＴを送り、圧胴ローラ２７がテープＴをカラースタンプローラ２４に押圧させる。
【００５６】
その後、電磁クラッチ（１）（図示せず）が作動状態となり、ローラ１８，１８，１９，１９，１９’，１９’もローラ１９”，１９”，３０，３０，３１，３１，３２，３２，３２’，３２’と等周速で正転駆動され、テープＴの送りが行われる。またテープＴの送り途中で紙幣束１束分の印刷が終り、圧胴ローラ２７が退去するとき、それまでに圧胴ローラ２７が形成したテープＴの撓みをなくして緊張させる必要がある。
【００５７】
そのためローラ１８，１８，１９，１９，１９’，１９’の正転駆動時（モータＭｘと電磁クラッチ（１）の作動状態）において、圧胴ローラ２７の退避作動に合わせて電磁クラッチ（２）を一時的に非作動とし、ローラ１９”，１９”，３０，３０，３１，３１，３２，３２，３２’，３２’を一時停止させる。
【００５８】
その結果、テープＴの圧胴ローラ２７の部分の撓みが解消されてテープＴを緊張させる。その直後に電磁クラッチ（２）が作動状態に復帰し、ローラ１８，１８，１９，１９，１９’，１９’と等周速でローラ１９”，１９”，３０，３０，３１，３１，３２，３２，３２’，３２’が正転駆動され、テープＴの送りが続けられる。
【００５９】
なお、テープＴの先端が図２において解放状態のチャック３へ挿入された段階でテープＴの送りは一時停止する。これはチャック３によりテープＴの先端を挟持する動作を行うためであり、モータＭｘが駆動状態での電磁クラッチ（１）、（２）による一時的な不作動によりローラ１８，１８，１９，１９，１９’，１９’，１９”，１９”，３０，３０，３１，３１，３２，３２，３２’，３２’が一時停止されることによる。
【００６０】
そのとき、圧胴ローラ２７もテープＴの押圧を解き、テープＴの面から退避する。これはテープＴが停止状態において圧胴ローラ２７がテープＴをカラースタンプローラ２４に押圧しているとテープＴの面にインクが滲み出ることを防ぐだめである。
【００６１】
この圧胴ローラ２７のテープＴ面からの退避時には、圧胴ローラ２７域のテープＴは弛み状態のままであり、圧胴ローラ２７のその後の進出に合わせて電磁クラッチ（１）および（２）が作動状態になると、モータＭｘは駆動状態のままである故、ローラ１８，１８，１９，１９，１９’，１９’，１９”，１９”，３０，３０，３１，３１，３２，３２，３２’，３２’が正転駆動される。
【００６２】
このようにテープＴの先端がチャック３に挟持されるときのテープＴの一時停止、チャック３のテープＴ挟持後のテープ送り時は、電磁クラッチ（１）、（２）の不作動・作動のタイミングをずらせる必要はない。
【００６３】
テープＴの搬送手段の詳細は以上の通りであるが、以後の説明においては便宜上ローラ１８，１８等の正転駆動および圧胴ローラ２７によるテープＴ面のカラースタンプローラ２４への押圧により印刷が開始され、圧胴ローラ２７のテープＴ面からの退避移動で印刷が終了することとする。
【００６４】
以上のテープ供給搬送系１７が本発明でいうテープ搬送手段に相当する。
【００６５】
前記ローラ３０，３０からその下流のローラ１８，１８直後の位置（第１押圧体１１の直前位置）にわたってテープＴの表裏面をガイドする通路ガイド２０Ａ（ローラ１９，１９からローラ１８，１８直後の末端位置までは図示しているが、他は図示省略）が設けられ、テープ供給搬送系１７と通路ガイド２０Ａ、第１押圧体１１、さらには後述のセンサＳ１，Ｓ１等によりテープ供給通路２０を構成している。そして図２の第１押圧体１１の右側面（テープカッタ１０の移動面）がテープ供給通路２０の末端となる。
【００６６】
上記センサＳ１，Ｓ１は、ローラ１９’，１９’とローラ１９，１９との間でローラ１９’，１９’直後の位置に配設され、テープＴの存否を検知するものである。
【００６７】
前記チャック３は、図６〜図８に示すように第１挟持片３５と第２挟持片３６とで鋏状に構成され、これら挟持片３５，３６はその軸受部３７，３８がピン３９により枢支されていて第１挟持片３５の基部３５ａが前記無端ベルト４に固着され、その挟時端３５ｂ，３６ｂが無端ベルト４で囲まれた結束空間１Ａの内方へ向け該無端ベルト４に対し直角に突出されている。
【００６８】
前記第１挟持片３５の挟持端３５ｂは、図７にみられるようにその長手方向に長孔状の窓孔４０を有し、他方の第２挟持片３６の挟持端３６ｂは図８にみられるように前記窓孔４０に可及的密に嵌合し得る細長形状とされていて、両挟持端３５ｂ，３６ｂ間でテープＴを挟持したときテープＴが凹字状に曲げられて外れにくいように形成されている。なお前記第１、第２挟持片３５，３６間にはバネ（図示省略）が掛けられていて、第２挟持片３６が第１挟持片３５に対し常時閉方向に付勢されている。
【００６９】
前記チャック３の開閉機構は、図９にみられるようにソレノイド４１の励磁、解磁により軸４２を中心に揺動する揺動レバー４３の水平方向の先端４３ａが前記チャック３の前記第２挟持片３６の基部３６ａの下面に当接するようになっており、ソレノイド４１の励磁により揺動レバー４３の先端４３ａが第２挟持片３６の基部３６ａを押動したときその挟持端３６ｂが下方へ揺動して両挟持片３５，３６の挟持端３５ｂ，３６ｂ間が開き、ソレノイド４１の解磁により第２挟持片３６の挟持端３６ｂがバネの作用で上方へ揺動して挟持端３５ｂ，３６ｂ間が閉じられてテープＴを挟持するようになっている。
【００７０】
上記チャック３の開閉時期は、チャック３がスタート位置Ａ（図２示）と巻き終り位置Ｅ（図３示）にあるとき前記揺動レバー４３によりテープＴ端を挟持または解放動作させるように設定されている。
【００７１】
前記第１、第２押圧体１１，１２、カッタ１０、接着こて１３は、図１１に示すようにいずれも載置台９の裏面に向けて進退移動する移動枠体４４に具えられ、それぞれが移動枠体４４に単独で進退移動自在に支持されている。
【００７２】
前記移動枠体４４は、外筐１内に設置された２本のガイドロッド４５，４５をガイドとして上下方向に移動されるもので、図示しないモータ（図１５のモータＭｘの１つ）により作動する上下駆動機構（実際はカムを用いているが、図示省略）により所定のストロークにわたり上下移動される。
【００７３】
前記第１押圧体１１はスタート位置Ａにおかれるチャック３からみて図において左側に位置し、第２押圧体１２は同右方向に位置していて、前記第１押圧体１１の先端１１ａは図１１に示すように前記第２押圧体１２の先端１２ａより若干上方に突出した状態におかれ、この第１押圧体１１の先端１１ａ近くにはテープＴが通るテープ挿通孔４６が形成されている。
【００７４】
前記第１、第２押圧体１１，１２の後端には圧縮バネ４７，４８が当接されていて各押圧体１１，１２が突出する方向に付勢されており、その先端１１ａ，１２ａが載置台９の裏側に位置するテープＴに当接したのちバネ４７，４８を圧縮して相対的に後退可能とされている。
【００７５】
前記カッタ１０は、前記第１押圧体１１の図２において右側の側面にそって上下に進退移動自在に設けられるとともに、図２のように第１押圧体１１側が鋭角なエッジ状とされ、その刃先１０ａは図１３にみられるように鋸歯状とされており、後退時にはその刃先１０ａが第１押圧体１１のテープ挿通孔４６の基部直近位置におかれるようになっていて、第１、第２押圧体１１，１２と同様にその後端に圧縮バネ４９が当接され、この圧縮バネ４９に抗して相対的に後退移動が可能とされている。
【００７６】
前記接着こて１３は、先端部にヒータを内蔵し、そのヒータにより加熱される押圧面１３ａは前記カッタ１０の刃先１０ａよりやや後退した位置におかれ、この接着こて１３もカッタ１０と同様に圧縮バネ（図示省略）により突出する方向に付勢されている。
【００７７】
前記第１、第２押圧体１１，１２、カッタ１０、接着こて１３のストロークはピンと長孔とで定められている。
【００７８】
したがって移動枠体４４（図９および図１１示）が上下動機構により上昇したとき、最先に第１押圧体１１の先端１１ａが載置台９の下面に位置するテープＴに当接し、次いで第１押圧体１１は圧縮バネ４７を圧縮しながら相対的に後退して第２押圧体１２の先端１２ａがテープＴに当接し、これによりテープＴの所定範囲（熱接着区間）の両側を押えたのちカッタ１０の刃先１０ａが当接し、さらに接着こて１３が当接するという順に作動する。１回の作業が終了して移動枠体４４が戻ると、第１、第２押圧体１１，１２、カッタ１０、接着こて１３は共にバネ付勢を受けて初期の状態に復する。
【００７９】
図２、図３においてＳ２は装填検知センサで、前記載置台９の裏面に向けて配置され、該載置台９に形成された検知孔（図示せず）を通じて載置台９上の正規の位置（挿入方向と挿入幅方向が図示しないストッパと規制板とで規制された位置）に置かれた集積紙幣Ｐが装填されたことを検知するものであり、特にこの装填検知センサＳ２は金種検知機能も併有していて、載置台９の正規の位置に位置された集積紙幣Ｐの金種も検知する。
【００８０】
図１５は制御ブロック図で、制御部５０は紙幣結束機の駆動制御を行うものであり、この制御部５０には、選択指定部５１、金種指定部５２、枚数指定部５３、センサ群Ｓｘからの信号がそれぞれ入力される。また制御部５０には、紙幣結束部およびテープ供給通路２０に設けられるモータ群Ｍｘ、ソレノイド群ＳＤｘが接続される。
【００８１】
制御部５０内には、テープ印刷・結束テーブル５０ａが設けられており、このテーブル５０ａを通じて制御部５０で印刷機構２１の圧胴ローラ２７のテープＴ面への進出時期と期間、ローラ１８，１８，１９，１９，１９’，１９’，１９”，１９”，３０，３０，３１，３１，３２，３２，３２’，３２’を駆動するモータＭｘの正転駆動パルス数、および逆転駆動パルス数を設定する。なおその具体例は後述の作用の項で説明する。
【００８２】
前記選択指定部５１は、「（Ａ−１）自動設定印刷モード」、「（Ａ−２）金種設定印刷モード」、「（Ａ−３）金種・枚数設定印刷モード」、「（Ｂ）印刷無しモード」を指定することができる。
【００８３】
上記モードのうち、「（Ａ−１）自動設定印刷モード」が指定されると、その指定段階で制御部５０では（Ａ−１）モードが設定され、このモード設定信号と装填検知センサＳ２による２つの信号（集積紙幣装填信号と金種検知信号）との三条件信号に基づいて紙幣結束部およびテープ供給通路２０のモータ群Ｍｘ、ソレノイド群ＳＤｘが制御部５０により制御される。
【００８４】
この（Ａ−１）モード、後述の（Ａ−２）モード、（Ｂ）モードの設定時は結束枚数は１００枚で一定である。
【００８５】
次に「（Ａ−２）金種設定印刷モード」は、選択指定部５１により（Ａ−２）モードが指定されたときに制御部５０で（Ａ−２）モードが設定され、この場合は金種指定部５２による金種指定で制御部５０により金種が設定される。（Ａ−２）モードにおいては、金種設定部５２での金種指定の変更がなされない限り同金種であるが、１束ごとに金種をクリアし、１束の結束ごとに金種指定部５２により金種指定するようにしてもよい。
【００８６】
そしてこの（Ａ−２）モードの設定信号と金種指定信号と装填検知センサＳ２による集積紙幣装填検知信号（この場合は、センサＳ２による金種検知は無効化されている）の三条件信号が制御部５０へ入力されていることに基づいて紙幣結束部およびテープ供給通路２０のモータ群Ｍｘ、ソレノイド群ＳＤｘが制御部５０により駆動制御される。
【００８７】
次に「（Ａ−３）金種・枚数設定印刷モード」は、選択指定部５１による「（Ａ−３）金種・枚数設定印刷モード」の指定で制御部５０は（Ａ−３）モードに設定され、金種指定部５２による金種指定、枚数指定部５３による枚数指定（５０枚、４０枚、２０枚のうち例えば５０枚の指定）で金種と枚数が制御部５０で設定される。
【００８８】
そしてこの（Ａ−３）モード設定信号、金種設定信号、枚数設定信号と装填検知センサＳ２による集積紙幣装填検知（この場合は、センサＳ２の金種検知は無効化されている）の条件信号が制御部５０へ入力されることに基づいて紙幣結束部Ｇ１およびテープ供給通路２０のモータ群Ｍｘ、ソレノイド群ＳＤｘが制御部５０により制御される。
【００８９】
（Ａ−３）モードにおいては、金種指定部５２への金種指定の変更、枚数指定部５３への枚数指定の変更がない限り同金種、同枚数とするが、１束結束ごとにクリアし、その都度金種と枚数とを指定するようにしてもよい。
【００９０】
「（Ｂ）印刷無しモード」が選択指定部５１で入力されるときは、このモードの指定信号が制御部５０へ入力された段階で（Ｂ）モードが設定される。そしてこの（Ｂ）モードの設定信号と装填検知センサＳ２の信号（集積紙幣Ｐの装填検知と金種検知の両信号）の条件信号に基づいて紙幣結束部Ｇ１およびテープ供給通路２０のモータ群Ｍｘおよびソレノイド群ＳＤｘが制御部５０により制御される。
【００９１】
なおこの例における各モード（Ａ−１）、（Ａ−２）、（Ａ−３）、（Ｂ）は、各モード設定後の装填検知センサＳ２の信号で自動スタートするようにしたものであるが、これに加えてスタートボタンを設け、このスタートボタンの操作により紙幣の結束動作をスタートさせるようにしてもよい。この場合には、１束結束する度にスタートボタンを押圧操作することになる。
【００９２】
上述の各モードを変更する際には、テープＴ先端の位置合わせがなされるが、その詳細に関しては作用の頃で説明することとする。
【００９３】
次に上記第１実施形態の作用を説明する。
【００９４】
１）「（Ｂ）印刷無しモード」の場合；
まず、単に集積紙幣Ｐを結束するだけの「（Ｂ）印刷無しモード」時の結束動作について説明すると、待機状態においてはチャック３は待機位置Ａ（スタート位置）におかれており、テープＴ先端は原則として第１押圧体１１のテープ挿通孔４６を通ってカッタ１０の位置（第１押圧体１１の右側面）に至っている。このとき印刷機構２１の圧胴ローラ２７はテープＴから離反した退避位置におかれている。
【００９５】
上記のテープＴ先端の位置合わせについては、前日の結束作業終了時、すなわち電源ＯＦＦの時点で「（Ｂ）印刷無しモード」であった場合にはその日に電源をＯＮとした時点（選択指定部５１のモード未指定段階）では前述の「（Ｂ）印刷無しモード」の結束終了時と同じで、テープＴの先端はカッタ１０の位置（第１押圧体１１の右側面）におかれている。
【００９６】
その後、その日に選択指定部５１で「（Ｂ）印刷無しモード」が指定されても、テープＴの先端位置は変わらない。この状態で（Ｂ）モードによる結束に備える。
【００９７】
また、他のモード（「（Ａ−１）自動設定印刷モード」、「（Ａ−２）金種設定印刷モード」、「（Ａ−３）金種・枚数設定印刷モード」）から「（Ｂ）印刷無しモード」に変更される場合は、選択指定部５１が「（Ｂ）印刷無しモード」を指定した段階（このとき（Ｂ）モードが制御部５０で設定されている）でテープＴの所定量の送り動作が行われる。
【００９８】
すなわち他モード（（Ａ−１）、（Ａ−２）、（Ａ−３））による結束工程終了時には、テープＴ先端はセンサＳ１，Ｓ１の位置にある。そして「（Ｂ）印刷無しモード」が選択指定部５１で指定されると、制御部５０は（Ｂ）モードを設定し、このモード設定に従うテープ印刷・結束テーブル５０ａを通じモード変更時のテープＴ先端の位置合わせ用の正転パルス数が設定され、ローラ１８，１８，１９，１９，１９’，１９’等がその設定パルス分だけ正転駆動され、テープＴ先端をカッタ１０の位置に位置させて（Ｂ）モードの結末に備える。
【００９９】
また、電源ＯＮ前のモード、または電源ＯＮ状態でモードの如何に拘わらずテープＴがなくなったとき（図示しないセンサによる検知）は、テープリール１６を入れ替え、人手によりテープリール１６のテープＴの先端のテープＴ域をテープ供給通路２０に通し、テープＴ先端をカッタ１０の位置に位置させて（Ｂ）モードの結束に備える。
【０１００】
（Ｂ）モードの設定に従ってテープ印刷・結束テーブル５０ａを通じローラ１８〜３２’が駆動される。そのときのモータ群Ｍｘの正転駆動パルス数、逆転駆動パルス数が制御部５０で設定される。この（Ｂ）モードでは、圧胴ローラ２７は退避状態のままで当然ながらテープＴへの印刷は行われない。
【０１０１】
前記待機位置Ａに位置するチャック３は、ソレノイド４１の励磁により第２挟持片３６の基部３６ａが揺動レバー４３の先端４３ａで押し上げられてその挟持端３６ｂが下方へ揺動することにより第１、第２挟持片３５，３６の挟持端３５ｂ，３６ｂ間は開いており、テープＴ先端の送り込みに備えている（テープ挟持予定位置）。
【０１０２】
ここで外筐１の開口部２から載置台９上に集積紙幣Ｐを挿入載置し、その先端を図示しないストッパおよび規則板に当てて位置を定める。
【０１０３】
そのときセンサＳ２が集積紙幣Ｐの載置台９への装填を検知し、その検知に基づいてローラ１８，１８…等の所定パルス分の回転でテープＴ先端がセンサＳ１，Ｓ１位置から開放状態におかれている第１、第２挟持片３５，３６の挟持端３５ｂ，３６ｂ間（ソレノイド４４の励磁により開、テープ挟持予定位置）に込り込まれる。そしてローラ１８，１８…の回転を停止させる。
【０１０４】
制御部５０によりソレノイド４１（図１５のソレノイドＳＤｘのうちの１つ）が解磁され、第２挟持片３６の挟持端３６ｂが閉じ方向に回動して第１、第２挟持片３５，３６でテープＴの先端が挟持される。
【０１０５】
続いて無端ベルト駆動用のモータＭ１（図１５のモータＭｘのうちの１つ）が起動して無端ベルト４が図２において矢印方向へ回動するとともにテープ供給搬送系１７（ローラ１８〜３２）によりテープＴが所定期間繰り出され、テープＴに弛みが保たれる。
【０１０６】
無端ベルト４の回動によりチャック３は図３に示すようにＡ位置からＢ，Ｃ，Ｄ位置を巡ってＥ位置へ到達し、その位置Ｅにチャック３が到来したことを図示しないセンサ（図１５のセンサＳｘのうちの１つ）が検知してモータＭ１（図１５のモータＭｘのうちの１つ）が停止される。そしてチャック３の周回動作中にテープＴは載置台９を含んで集積紙幣Ｐの周囲の所定位置に巻回される。
【０１０７】
図９、図１１、図１２に示す移動枠体４４の上昇に伴って第１押圧体１１の先端１１ａが載置台９の裏面に位置するテープＴに当接したのちテープ供給搬送系１７のローラ群１８，１８…等が所定パルス分逆転駆動してテープＴを引き戻して緊張を与え、これにより載置台９と一緒に集積紙幣Ｐが緊縛される。上記テープＴの引き戻しに連動して移動ローラ３３，３４が図３に示すようにテープＴの搬送経路と交差する方向へ進出移動してテープＴの弛み分を吸収し、緊張させる。
【０１０８】
前記緊縛後、第１押圧体１１は圧縮バネ４７を撓ませながら相対的に後退し、その間バネ圧によりテープＴを押え続ける。続いて第２押圧体１２の先端１２ａがテープＴに当接し、前記第１押圧体１１と第２押圧体１２とでテープＴの２箇所を押圧して保持する。
【０１０９】
さらに移動枠体４４の上昇により図３示のカッタ１０の刃先１０ａが第１押圧体１１の側面にそって上昇し、第１押圧体１１のテープ挿通孔４６の際でテープＴの切断が行われると共に接着こて１３の押圧面１３ａが２枚重ねとなっている区間のテープＴに当接して熱接着が行われる。このとき新たに形成されるテープＴの先端はカッタ１０の位置にある。
【０１１０】
上記テープＴの切断動作が行われる時期にはソレノイド４１（図９示）が励磁されて第２挟持片３６の挟持端３６ｂが開放可能状態となるが、テープＴが巻かれているので、閉じたままであり、結束済みの紙幣束の引き出しに備える。次に集積紙幣Ｐの手前端を持って引き出せば、テープＴは載置台９から抜けて結束済みの紙幣束を取り出すことができる。
【０１１１】
次いでセンサＳ２による紙幣束取り出し検知により無端ベルト４が逆転駆動されてチャック３がＥ位置からスタート位置Ａへ戻され、その結束工程は終了し、次回の結束工程のスタートに備える。
【０１１２】
上記「（Ｂ）印刷無しモード」において、テープＴ先端の結束工程におけるスタート位置はカッタ１０位置であるが、第１、第２挟持片３５，３６の挟持端３５ｂ，３６ｂ間にテープＴ先端を位置させ、この挟持予定位置をスタート位置としてもよい。
【０１１３】
この場合は、結束済みの紙幣束を載置台９から取り出すと、無端ベルト４が逆転駆動してチャック３がＥ位置からスタート位置Ａに戻される。このスタート位置Ａにおいても、第１、第２挟持片３５，３６の挟持端３５ｂ，３６ｂは開放状態におかれており、ローラ１８，１８…等が所定パルス分正転されてテープＴ先端はカッタ１０の位置から第１、第２挟持片３５，３６の開放状態にある挟持端３５ｂ，３６ｂ間に送り込まれる。この状態で結束工程のスタートに備える。この場合、結束工程は、テープＴ先端が第１、第２挟持片３５，３６の挟持端３５ｂ，３６ｂで挟持されることから始まる。
【０１１４】
上記スタート位置の例では、他のモード（Ａ−１），（Ａ−２），（Ａ−３）からの変更の場合に、「（Ｂ）印刷無しモード」が選択指定部５１で指定された段階でローラ１８，１８，１９，１９，１９’，１９’等に所定パルス分の正転回転が与えられ、センサＳ１，Ｓ１の位置に位置していたテープＴ先端は第１、第２挟持片３５，３６の開放状態のまま挟持端３５ｂ，３６ｂ間へ送り込まれ、結束工程のスタートに備える。
【０１１５】
電源ＯＦＦ時が（Ｂ）モードの場合は、テープＴ先端の位置は第１、第２挟持片３５，３６間に挟持されているので、電源ＯＮ時の（Ｂ）モード指定時には第１、第２挟持片３５，３６は開放状態になり、テープＴは既に結束工程のスタートに備える状態におかれている。
【０１１６】
またテープ無しの場合（電源ＯＦＦのときは電源ＯＮ状態とする）は、テープリール１６をテープリール部１４に装填し、Ａ位置にあるチャック３の開放状態にある第１、第２挟持片３５，３６の挟持端３５ｂ，３６ｂ間へテープＴ先端を送り込めばテープＴ先端は結束工程のスタートに備える状態となる。
【０１１７】
以上が「（Ｂ）印刷無しモード」においてテープＴ先端のスタート位置を挟持端３５ｂ，３６ｂ間での挟持予定位置とする例である。
【０１１８】
２）「印刷に関する各モード」の場合；
次に印刷に関する各モードについて説明する。
【０１１９】
このモードとしては、「（Ａ−１）自動設定印刷モード」、「（Ａ−２）金種設定印刷モード」、「（Ａ−３）金種・枚数設定印刷モード」の３種がある。
【０１２０】
２−１）「（Ａ−１）自動設定印刷モード」の場合；
まず、「（Ａ−１）自動設定印刷モード」が設定された場合について説明する。
【０１２１】
選択指定部５１で「（Ａ−１）自動設定印刷モード」が指定される場合で、それまでが（Ａ−１）（電源ＯＮの前段階）、（Ａ−２），（Ａ−３）のモードであった場合は、テープＴ先端はセンサＳ１，Ｓ１の位置におかれており、既に結束工程の準備状態となっている。
【０１２２】
また（Ａ−１）のモードの前が「（Ｂ）印刷無しモード」であった場合は、選択指定部５１で（Ａ−１）モードが指定された段階においてローラ１８，１８，１９，１９，１９’，１９’等が所定パルス分だけ制御部５０のテーブル５０ａに従って逆転され、センサＳ１，Ｓ１の位置Ｆ（印刷用スタート位置）にテープＴ先端が位置して結束工程の準備状態となる。
【０１２３】
以上がモード変更時におけるテープＴ先端の位置合わせである。
【０１２４】
上記（Ａ−１）モードの結束工程の準備状態において、集積紙幣Ｐが載置台９の正規の位置に装填されたことの検知、およびその金種の検知がセンサＳ２でなされることに基づいて印刷機構２１の回転ディスク２３を回動させて上記読みとられた金種用のカラースタンプローラ２４が印刷位置へ位置される。
【０１２５】
次に圧胴ローラ２７が進出し、テープ供給搬送系１７用のモータＭｘが、テーープ印刷・制御テーブル５０ａに基づいて制御部５０で設定された正転パルス値に従い各ローラを正転駆動してテープＴを送り出す。この搬送系１７のローラ１８の回転量（パルス）を図示しないパルスカウンタにより検知し、テープＴ先端は位置Ｆから所定長さ送り出したところでそのモータＭｘの正転一時停止に従いローラ１８を含む他のローラの正転駆動が一時停止する。
【０１２６】
このときテープＴの先端はスタート位置Ａに位置しているチャック３に挟持され得る位置（テープ挟持予定位置）まで進出しており、ローラ１８，１８，１９，１９…等の一時停止を条件に制御部５０からの指令によりチャック３が挟持作動してテープＴ先端を挟持する。次いで無端ベルト４が正転回動するとともにローラ１８，１８，１９，１９’…も正転する。
【０１２７】
こうしてチャック３に挟持されたテープＴは、チャック３のスタート位置ＡからＢ−Ｃ−Ｄを経てＥ位置へ周回して一旦停止する。このときのテープＴの引き出し状況は、図２、図３のＴ１位置（チャック３のスタート位置Ａ）にあったテープＴ先端部分が前述のようにローラ１８，１８…等の正転回動によるテープＴの正転送りによりテープＴの後続部分に弛みを持たせた状態で図３のＴ２位置（チャック３の位置Ｅ）へ移行して停止する。
【０１２８】
このテープＴの正転送り中において、圧胴ローラ２７はテープＴ先端がＦ位置（センサＳ１，Ｓ１の位置）から所定長さ分だけ移行した段階（チャック３のスタート位置ＡでのテープＴの一時停止を含む）で退避する。この圧胴ローラ２７の進出時期と進出期間は、モードが設定されたことに従うテープ印刷・結束テーブル５０ａに基づいて設定され、具体的にはローラ１８，１８…等を正転駆動するモータＭｘに印加する正転パルス量の所定パルス分に設定される。
【０１２９】
特に集積紙幣Ｐの周囲に巻き締められてカッタ１０で切断される予定のテープＴの送り長さ分全域に相当する期間、テープＴに印刷し、それ以降の部分は無印刷となる。
【０１３０】
それ故、図３に示す状態においては、紙幣の周囲に弛み状態で巻きつけられているテープＴ部分のうち、テープＴ先端から所定部分（結束された場合の１束分のテープ部分）は印刷が施され、その後続部分には印刷されず、無印刷となる。
【０１３１】
この状態でテープ供給搬送系１７のローラ１８〜３１までのローラ群が逆転駆動（モータＭｘの所定パルス分の逆転）して集積紙幣Ｐの周囲に巻かれたテープＴを巻き締める。その結果、テープＴのＴ２位置より後続の２枚目部分は巻き締め状態まで引き戻され、ここでテープ供給搬送系１７の前記ローラ群は停止する。すなわちテープ供給搬送系１７のローラ１８のパルスカウンタによる逆転パルスの所定量分のカウントによりモータＭｘの停止を通じて停止される。
【０１３２】
そしてこのときのテープＴの巻き戻し分は移動ローラ３３，３４のバネ付勢による進出により緊張状態に保たれる。すなわちテープＴの引き戻し時にはローラ１８から３０までが等しい周速で回転し、３２は停止したままにおかれ、またローラ３１は或る時期までは一時停止し、その期間（ローラ３３のテープ緊張期間分）が済むとローラ３０と等速回転する。次にローラ３２の停止状態でローラ３４が緊張位置へ移動する。このようにローラ３３，３４は分担してテープＴを緊張させる位置まで移動する。
【０１３３】
ここでカッタ１０と接着こて１３とで前述のようにテープＴの切断と熱接着が行われる。位置Ｅにあるチャック３は、カッタ１０によるテープ切断時期にソレノイド４４が励磁され、第１、第２挟持片３５，３６は開放状態となるが、テープＴが巻かれているので閉じたままである。
【０１３４】
切断された次位のテープＴの先端は、テープ供給搬送系１７の上記ローラ１８〜３１が必要パルス数に対応した所定量逆転（モータＭｘの所定パルス分の逆転）することと移動ローラ３３，３４の移動とによりセンサＳ１，Ｓ１による検知位置Ｆ（印刷用スタート位置）に至って停止し、次の結束工程に備える。
【０１３５】
一方、結束済みの紙幣は載置台９から抜きとられる。次にセンサＳ２の紙幣束取り出し検知により無端ベルト４が逆転駆動され、チャック３が位置Ｅから位置Ａへ戻され、これにて結束工程が終了する。
【０１３６】
次いで新たな集積紙幣Ｐが載置台９上にセットされると次の結束工程がスタートする。すなわちセンサＳ２がその紙幣Ｐの装填と金種を検知し、その金種検知信号に基づいて印刷機構２１の回転ディスク２３が回動し、その金種用のカラースタンプローラ２４が印刷位置に位置付けされ、圧胴ローラ２７が進出し（１束分のテープの期間のみ）、センサＳ１，Ｓ１位置（位置Ｆ）にテープＴ先端が位置していたテープＴはローラ１８〜３２の正転回転により送られるとともに１束分のテープＴに印刷が行われる。
【０１３７】
チャック３は、テープＴ先端が送り込まれるまでは位置Ａにあって開放状態にある。テープＴ先端が位置Ａにあるチャック３内へ送り込まれると、ローラ１８〜３２は一時停止（テープＴへの印刷途中、この一時停止中は印刷の惨みを防ぐため圧胴ローラ２７も一時的に退避させ、ローラ１８〜３２の再度の正転時にテープＴ面へ進出する）し、チャック３が位置ＡでテープＴ先端を挟持するとチャック３が移動を開始し、ローラ１８〜３２の正転と圧胴ローラ２７による印刷が再開する。
【０１３８】
こうしてチャック３が位置Ａから位置Ｂ→Ｃ→Ｄ→Ｅまで移動して一時停止し、ローラ１８〜３２も一時停止する。また圧胴ローラ２７は、それまでの時点で印刷を終え、テープＴ面から退避している。
【０１３９】
次にローラ１８〜３１（ローラ３１は一時的に停止）が逆転し、テープＴに緊張を与えて集積紙幣Ｐの周囲にテープＴを巻き締める（モータＭｘの逆転による）。次いでテープＴの切断、熱接着が行われる。切断後の後続のテープＴ先端はローラ１８〜３１の逆転を通じて前回と同様位置Ｆまで戻され、次回の結束に待機する。
【０１４０】
２−２）「（Ａ−２）金種指定印刷モード」の場合；
次に「（Ａ−２）金種設定印刷モード」について説明する。
【０１４１】
選択指定部５１で「（Ａ−２）金種設定印刷モード」が指定され、かつ金種指定部５２により金種指定がなされて初めてテープ印刷・制御テーブル５０ａが設定される。
【０１４２】
この「（Ａ−２）金種指定印刷モード」が選択指定部５１で指定され、かつ金種が金種指定部５２で指定された場合で、その前が（Ａ−２）（電源ＯＮの前段階）、（Ａ−１），（Ａ−３）である場合は、テープＴ先端はセンサＳ１，Ｓ１の位置（位置Ｆ、印刷用スタート位置）に位置しているので既に結束工程の準備状態となっている。
【０１４３】
また（Ａ−２）モードの前が「（Ｂ）印刷無しモード」であった場合は、選択指定部５１と金種指定部５２とにより「（Ａ−２）金種指定印刷モード」と金種が指定された段階でローラ１８，１８，１９，１９，１９’，１９’等用のモータＭｘが所定パルス分（（Ａ−２）モードと金種が設定されたことに基づくテープ印刷・結束テープ５０ａに従い、制御部５０で設定された設定パルス分）逆転され、カッタ１０位置にあったテープＴ先端はセンサＳ１，Ｓ１の位置Ｆ（印刷用スタート位置）に位置して結束工程の準備状態となる。
【０１４４】
一方、（Ａ−２）モード設定時の金種信号に従い、制御部５０からの出力信号で印刷機構２１の回転ディスク２３を回動させ、設定された金種用のカラースタンプローラ２４が印刷位置に位置される。
【０１４５】
この（Ａ−２）モードでは、センサＳ２は集積紙幣Ｐが載置台９の装填位置へ装填されたことの検知はするが、既に述べたとおり金種の検知は行わないようになっている。
【０１４６】
そして「（Ａ−２）金種指定印刷モード」が選択指定部５１で金種が金種指定部５２で指定されることにより制御部５０で（Ａ−２）モードと金種設定され、載置台９の装填位置に集積紙幣Ｐが装填されたことをセンサＳ２で検知されることで結束動作が行われる。
【０１４７】
この（Ａ−２）モードでは金種設定がなされるので金種変更がなされない限り既に金種用カラースタンプローラ２４は印刷位置に位置している。そのため（Ａ−１）モードの結束工程開始時の金種用カラースタンプローラ２４の印刷位置への位置合わせが省略され、圧胴ローラ２７の進出とテープ供給搬送系１７の各ローラ１８〜３２の正転駆動とで結束工程が開始し、以後の結束動作は（Ａ−１）モードと同じである。なお（Ａ−２）モードで金種の変更がある場合は、金種別カラースタンプローラ２４の印刷位置への位置合わせは必要である。
【０１４８】
そして集積紙幣Ｐの周囲にテープＴの結束が行われた後、次のテープＴ先端はカッタ１０位置からセンサＳ１，Ｓ１による検知位置Ｆ（印刷用スタート位置）に戻されて停止し、次の結束工程に備える。
【０１４９】
一方、結束済み紙幣は載置台９から抜きとられる。次にセンサＳ２の紙幣束取り出し検知により無端ベルト４が逆転駆動され、チャック３が位置Ｅから位置Ａへ戻されて、結束工程が終了する。
【０１５０】
次の結束工程では、載置台９の載置位置に集積紙幣Ｐが装填されたことをセンサＳ２で検知されることで（Ａ−２）モードの結束工程（結束動作）がスタートし、以後は前記と同じである。
【０１５１】
なお（Ａ−２）モードにおいて、１束の結束ごとに金種のクリアを行う場合は毎回金種設定を行い、前回と異る金種の場合は金種別カラースタンプローラ２４の印刷位置への位置合わせが必要となる。
【０１５２】
２−３）「（Ａ−３）金種・枚数設定印刷モード」の場合；
次に「（Ａ−３）金種・枚数設定印刷モード」について説明する。
【０１５３】
この「（Ａ−３）金種・枚数設定印刷モード」の場合は、選択指定部５１による金種・枚数設定印刷モードの指定、金種指定部５２による金種指定、枚数指定部５３による枚数指定（例えば５０枚指定）によって制御部５０でそれぞれのモードと金種と枚数が設定され、この設定に伴う制御部５０からの指令信号に基づいて印刷機構２１の回転ディスク２３を回動させ、設定された金種用のカラースタンプローラ２４が印刷位置へ位置される。
【０１５４】
またこの（Ａ−３）モードでは、（Ａ−２）モードと同様にセンサＳ２は集積紙幣Ｐが載置台９の装填位置に装填されたことの検知はするが、金種の検知は行わない。
【０１５５】
さらにこの（Ａ−３）モードでは、設定枚数（５０枚、４０枚、２０枚）によりローラ１８〜３２の正転駆動期間および逆転駆動期間を定める正転パルス数、逆転パルス数が変更設定されるようになっている。
【０１５６】
なお、紙幣の金種に拘わらず日本国の紙幣は同幅故、（Ａ−１），（Ａ−２）、（Ｂ）の各モードのように結束枚数が１００枚であるように一定の場合は、前述のテープ供給搬送系１７の正転駆動、逆転駆動の各設定パルス数も一定（但し正転と逆転ではそのパルス数は異り、また（Ａ−１），（Ａ−２）に対し（Ｂ）はそのパルス数は異るが）である。
【０１５７】
ところが外国紙幣のように金種によって幅が異なると、（Ａ−１），（Ａ−２）、（Ｂ）においても金種ごとに前述の正転駆動、逆転駆動の各設定パルス数を変更して設定することになる。また（Ａ−３）モードにおいても、金種と枚数とによって前述の正転駆動、逆転駆動の各パルス数を変更設定するようにする。
【０１５８】
その場合は、図１５の制御部５０におけるテープ印刷・結束テーブル５０ａにおいて、外国紙幣の金種と枚数（１００枚、５０枚、４０枚、２０枚）に対応する正転パルス値、逆転パルス値、印刷時期と期間とをを定めるパルス値を記憶させておき、（Ａ−１）と金種検知条件、（Ａ−２），（Ｂ）と金種検知条件と（Ａ−３）と金種および枚数検知条件によって制御部５０による正転および逆転設定パルス値を設定するようにすればよい。
【０１５９】
上記（Ａ−３）モードを、金種に拘らず同一幅の日本国の紙幣について説明すると、この場合には枚数指定部５３による設定枚数によりパルス設定数が異るが、結束動作（結束工程）は（Ａ−２）の動作と同じである。
【０１６０】
この（Ａ−３）モードと金種と枚数が制御部５０で設定された状態において、その前の工程が（Ａ−２）モード（電源ＯＮの前段階）、（Ａ−１），（Ａ−３）モードであった場合は、テープＴ先端はセンサＳ１，Ｓ１の位置（印刷用スタート位置）におかれているので、既に結束工程の準備状態になっている。
【０１６１】
また（Ａ−３）モードの前が（Ｂ）印刷無しモードである場合は、（Ａ−３）モードが設定された段階でローラ１８等の駆動用モータＭｘが所定パルス分逆転し、テープＴ先端はカッタ１０位置から逆送りされ、センサＳ１，Ｓ１位置（位置Ｆ）に位置して結束工程の準備状態となる。
【０１６２】
この（Ａ−３）モードが設定されたときには、（Ａ−３）モードと金種と枚数の設定に基づいてテープ印刷・結束テーブル５０ａに従いローラ１８等の駆動用モータＭｘの正転駆動パルス数、逆転駆動パルス数、印刷時期と印刷期間とを定めるパルス数（その期間、圧胴ローラ進出用ソレノイドＳＤｘを励磁）が制御部５０で設定される。
【０１６３】
そして制御部５０による（Ａ−３）モード時の金種の設定はなされているので、載置台９の装填位置に集積紙幣Ｐが装填されたことがセンサＳ２で検知されると結束動作が行われる。なおこの場合、センサＳ２は金種検知は行わない。
【０１６４】
この（Ａ−３）モードでは、（Ａ−２）モードと同様に金種設定により既に金種用カラースタンプローラ２４は印刷位置に位置されている。そのため金種の変更がない限り（Ａ−１）モードの結束工程開始時の金種用カラースタンプローラ２４の印刷位置への位置合わせが省略され、（Ａ−２）モードと同様に圧胴ローラ２７のテープＴ面への進出とテープ供給搬送系１７の各ローラの正転駆動によって結束工程が開始され、以後の結束動作は（Ａ−１），（Ａ−２）モード時と同様に行われる。なお（Ａ−３）モードで金種変更がある場合は金種別カラースタンプローラ２４の印刷位置への位置合わせは必要である。
【０１６５】
そして集積紙幣Ｐの周囲にテープＴが巻きつけられて結束が行われた後、次のテープＴ先端はカッタ１０位置から位置Ｆに戻されて停止し、次回の結束に備える。
【０１６６】
一方、結束済みの紙幣束は載置台９から抜きとられる。次にセンサＳ２の紙幣束取り出し検知により無端ベルト４が逆転駆動され、チャック３が位置Ｅから位置Ａへ戻されて結束工程が終了となる。
【０１６７】
次の結束工程では、載置台９の載置位置に集積紙幣Ｐが装填されたことをセンサＳ２が検知することで（Ａ−３）モードの結束工程（結束動作）がスタートし、それ以降は前記と同様である。
【０１６８】
なお（Ａ−３）モードにおいて、１束結束ごとに金種と枚数のクリアを行う場合は毎回金種と枚数の設定を行い、前回と異る金種の場合は金種別カラースタンプローラ２４の印刷位置への位置合わせが必要となる。
【０１６９】
図１６は印刷機構２１にインクジェットプリンタ５４を用いた場合の図２相当図を示し、図１７はインクジェットプリンタ５４による印刷形態の一例を示すもので、図１７（Ａ）は文字印刷、同（Ｂ）はライン印刷の場合を示している。
【０１７０】
インクジェットプリンタ５４は、例えば図１７に記載のように「赤、黄、白、茶、青、黒」の各色のインクを噴射するノズル５４ａを有し、図１７（Ａ），（Ｂ）のいずれの印刷形態の場合も金種変更時にインクジェットプリンタ５４をテープＴの幅方向、すなわち矢印（イ）方向に移動させ、金種に対応する色のノズル５４ａをテープＴの幅方向中央に位置させる。なお使用するテープＴの地肌は「灰色」とされており、ノズル５４ａから噴射する「赤、黄、白、茶、青、黒」のいずれの色も鮮明に見えるように考慮されている。また図１７では、「白色」のノズル５４ａが金種設定された場合を示している。
【０１７１】
次に印刷動作について説明する。
【０１７２】
図１７（Ａ）の文字印刷の場合は、テープＴの間欠送り移動とインクジェットプリンタ５４のテープＴ幅方向の間欠移動、それに応ずるノズル５４ａからのインクの間欠噴射で文字印刷が行われる。
【０１７３】
図１７（Ｂ）のライン印刷の場合は、金種設定された後はインクジェットプリンタ５４は一定位置におかれ、テープＴの送りに合わせて必要区間インクを連続噴射させればよい。
【０１７４】
このインクジェットプリンタ５４の金種設定（金種変更）の開始時期、すなわちインクジェットプリンタ５４をテープＴの幅方向へ移動させて設定希望金種に対応する色のノズル５４ａをテープＴの幅方向中央に位置させる際の移動開始時期は、図２の実施形態における回転ディスク２３の回転開始時期と同じであり、回転ディスク２３の回転指令と同じ信号でインクジェットプリンタ５４のテープＴの幅方向移動が開始される。
【０１７５】
回転ディスク２３による場合は、希望金種のカラースタンプローラ２４が印刷待機位置へ移動するとその位置を検知する図示しない位置検知センサからの信号で回転ディスク２３が停止し、金種設定が終了するが、インクジェットプリンタ５４の場合は、テープＴの幅方向に移動するインクジェットプリンタ５４の設定金種に対応する色のノズル５４ａがテープＴの幅方向中央に位置した段階でそのインクジェットプリンタ５４の位置を検知する図示しない位置検知センサによりインクジェットプリンタ５４の移動が停止され、金種設定が終了する。
【０１７６】
印刷開始時期については、図２においては圧胴ローラ２７がテープＴのテープ面を押圧する時期であるが、図１７のインクジェットプリンタ５４の場合はそれと同時期にノズル５４ａからインクが噴射されることで印刷が開始される。
【０１７７】
印刷終了時期は、図２の場合は圧胴ローラ２７がテープＴのテープ面から退去する時期であるが、図１７の場合は上記の時期にノズル５４のインク噴射を停めることで終了する。なお図１７（Ａ）の場合にはテープＴの切断長さの終わりでかつ完全な文字が印刷され終った時点で印刷を終了することが好ましい。また印刷期間の制御は、図２の場合と同様にローラ１８，１８…等の回転時のパルス量によって決められる。そしてこのインクジェットプリンタ５４を用いる場合、圧胴ローラ２７によるものと異り、テープＴに弛みを形成する必要がないので、ローラ１８，１８，１９，１９，１９’，１９’，１９”，１９”，３０，３０，３１，３１，３２，３２，３２’，３２’はモータＭｘにより直接駆動すればよい。
【０１７８】
図示の第１実施形態では、集積紙幣Ｐを水平姿勢で紙幣結束部Ｇ１へ挿入する形式とした場合について示したが、集積紙幣Ｐを縦姿勢で挿入する形式としても各構成部分が９０°位相を変更させるだけで実施することができる。
【０１７９】
図１８〜図２２は本発明の第２実施形態を示すもので、結束機としての基本形態は特許第２８４８８６３号の公報に記載されている紙葉類結束機に本発明を適用した場合として示している。なおこの結束機自体の構成に関しては上記公報に詳記してあるのでそれに委ねるとして主要部についてのみ図１８に示す断面図（上記公報中の第３図に相当）を参照して説明することとする。
【０１８０】
外筺６０に設けられている図示していないホッパに装填された紙幣は順次繰り出されて搬送路６１を搬送される間に金種識別部により金種が識別され、結束すべき金種紙幣のみが搬送路６１の末端へ送られる。
【０１８１】
紙幣結束部Ｇ１の前段には、前記搬送路６１を送られてくる紙幣が長手方向（図１８の紙面に対し表裏方向）および短手方向を揃えて一定枚数整列状態に集積される集積部６２が設けられ、この集積部６２の下部に該集積部６２で集積された集積紙幣Ｐを挟持してその下方の紙幣結束部Ｇ１の結束位置Ｇ２へ移送させる集積紙幣挟持搬送機構６３（一対の挟持部材６３ａ，６３ａを有する）を有し、紙幣結束部Ｇ１には結束位置へ移行した集積紙幣Ｐの前記一対の挟持部材６３ａ，６３ａによる挟持位置とは長手方向にずれたテープＴの幅方向両側位置を両側面から押圧挟持して締め付ける一対のクランプ片６４ａ，６４ａを有するクランプ手段６４と、クランプ手段６４による集積紙幣Ｐの押圧挟持前にテープＴを集積紙幣Ｐに巻き付けるテープ巻き付け手段６５と、テープＴを切断するカッタ６６およびその切断端を熱接着する接着鏝部６７とが設けられているものである。
【０１８２】
また進出位置と退避位置とをとる規制片６５Ａが設けられ、この規制片６５Ａは結束位置Ｇ２へ送り込まれる集積紙幣Ｐの下縁を規制する役目を果し、図１８におけるテープ巻き付け手段６５より紙面に対し裏面方向位置で集積紙幣挟持搬送機構６３の移動に干渉しない位置に設けられている。
【０１８３】
この規制片６５Ａは、集積紙幣挟持搬送機構６３による集積紙幣Ｐの挟持搬送時はその集積紙幣Ｐの下縁を支持する進出位置におかれ、結束終了直前までその位置を保ち、クランプ部材６４のクランプ片６４ａ，６４ａが集積紙幣Ｐの挟持を解く前に結束済みの紙幣束の下方への放出（クランプ片６４ａ，６４ａの挟持開放）に備える退避位置に位置し、結束紙幣の両面からクランプ片６４ａ，６４ａが退避移動して結束済みの紙幣束が下方の収納部へ収納されると規制片６５Ａは元の位置へ進出して復帰し、集積紙幣挟持搬送機構６３による集積紙幣Ｐの送り込みに備える。
【０１８４】
次にテープリール部６８、テープ供給通路、およびテープ搬送手段について説明する。
【０１８５】
テープリール部６８は外筺６０の下底部に傾斜姿勢に配設されており、テープリール６９とリール載置台７０と軸７１とを有し、テープＴが巻回されたテープリール６９はその中心孔がリール載置台７０上の軸７１に嵌合されることで傾斜面内で回転自在に支持され、このテープリール６９から引き出されたテープＴは、テープ誘導路７２、ガイド７３を経由してテープ供給搬送系７４へ受け渡されて給送されるようになっている。なおこのテープリール部６８には適宜なブレーキ手段が付設されていて、引き出されたテープＴに所定のテンションが負荷されるようになされている。
【０１８６】
上記テープ供給搬送系７４は、テープＴを挟持して搬送するローラ群からなっており、この搬送系７４は前記テープリール部６８から引き出されたテープＴを直角方向へ送るローラ構造の傾斜上昇搬送域７４ａ（ローラ７８，７８からローラ１９”，１９”までの域）と、この傾斜上昇搬送域７４ａから略直角に方向変換して送るローラ構造の傾斜下降搬送域７４ｂ（ローラ１９”，１９”からローラ８０ａまでの域）とを有し、その傾斜下降搬送域７４ｂの末端位置の上下に対をなすローラ７５，７６が対置され、一方のローラ７５は正逆回転可能なパルスモータＭｘ（図示しないが、図１９の紙幣結束収納装置９３に含まれる）によりテープＴの所定量の送り出しと引き戻しを行う。またローラ１９’，１９’，１９”，１９”，７７，７７，７８，７８までのローラ群も前記ローラ７５と同期して回転する。
【０１８７】
前記傾斜上昇搬送域７４ａの上部側のローラ７７，７７と下部側のローラ７８，７８との間には、テープＴの引き戻し時における弛み分を吸収してテンションを与えるための移動ローラ７９が図１８において矢印方向に移動自在に配設され、前記テープ供給搬送系７４の各ローラの逆転時に同期して移動ローラ７９が傾斜上昇搬送域７４ａから離反する方向へ移動し、テープＴの戻し分を吸収するようになっている。
【０１８８】
なお前記下部側のローラ７８，７８は正転時にはローラ７５，７６等と同期回転するが、逆転時にはブレーキローラとされ、テープ供給搬送系７４によるテープＴの供給時にテープＴに緊張を与え、弛みを生じないようにしている。
【０１８９】
パルスモータＭｘによるローラ７５，７６，１９’，１９’，１９”，１９”，７７，７７，７８，７８の駆動について詳述すると、ローラ７５，７６，１９’，１９’，１９”，１９”，７７，７７，７８，７８はモータＭｘにより正逆駆動（ローラ７８，７８はモータＭｘとローラ７８，７８との間に介装されたワンウエイクラッチにより正転駆動のみ行われ、逆転駆動はしない）される。
【０１９０】
これらのうちローラ７５，７６，１９’，１９’とモータＭｘとの間には電磁クラッチ（１）（図示せず）が介在され、ローラ１９”，１９”，７７，７７，７８，７８とモータＭｘとの間には電磁クラッチ（２）（図示せず）が介在されている。
【０１９１】
これは印刷モード時のローラ７５，７６，１９’，１９’，１９”，１９”，７７，７７，７８，７８の駆動を考慮したもので、印刷無しモード時はモータＭｘの正転駆動、逆転駆動時に電磁クラッチ（１）および（２）を同時に作動状態とすればよい。なおモータＭｘに加え電磁クラッチ（１）、（２）も図１９の紙幣結束収納装置９３に含まれている。
【０１９２】
ところが、印刷モード時の印刷動作中は印刷機構２１（第１実施形態と同じ構造）の圧胴ローラ２７がテープＴの圧胴ローラ２７の部位を撓ませることになり、そのためにローラ７５，７６，１９’，１９’は停止状態においてローラ１９”，１９”，７７，７７，７８，７８をその撓み達成のための所定量のテープＴを送る必要がある。
【０１９３】
それ故、印刷機構２１の圧胴ローラ２７がテープＴをカラースタンプローラ２４に押圧するとき、モータＭｘと電磁クラッチ（２）が作動状態となり、まずローラ１９”，１９”，７７，７７，７８，７８が所定量テープＴを送り、圧胴ローラ２７がテープＴをカラースタンプローラ２４に押しつける。
【０１９４】
その後、電磁クラッチ（１）（図示せず）が作動状態となり、ローラ７５，７６，１９’，１９’もローラ１９”，１９”，７７，７７，７８，７８と等速で正転駆動され、テープＴの送りが行われる。
【０１９５】
また、テープＴの送り途中で紙幣１束分の印刷が終り、圧胴ローラ２７が退避するとき、それまでに圧胴ローラ２７が形成したテープＴの撓みをなくして緊張させる必要がある。
【０１９６】
そのためローラ７５，７６，１９’，１９’は駆動状態（モータＭｘと電磁クラッチ（１）の作動状態）において、圧胴ローラ２７の退避移動に合わせて電磁クラッチ（２）を一時的に不作動とし、ローラ１９”，１９”，７７，７７，７８，７８を一時停止せしめる。その結果、テープＴの圧胴ローラ２７の部位の撓みが解消されて緊張される。その直後に電磁クラッチ（２）が作動状態となり、ローラ７５，７６，１９’，１９’と一体的にローラ１９”，１９”，７７，７７，７８，７８も正転駆動され、テープＴの送りが行われる。
【０１９７】
なお、テープＴ先端が、図２０（Ａ）においてａ１位置からａ１’位置へ移動した段階でテープＴの送りが一時停止（電磁クラッチ（１），（２）の一時的な不作動によるローラ７５，７６，１９’，１９’，１９”，１９”，７７，７７，７８，７８の一時停止）され、圧胴ローラ２７も一時的に退避する（テープＴ面へのインクの惨み防止のため）が、圧胴ローラ２７の部位のテープＴ域は弛み状態のままであり、圧胴ローラ２７の進出に合わせてモータＭｘと電磁クラッチ（１）および（２）を作動状態とし、ローラ７５，７６，１９’，１９’，１９”，１９”，７７，７７，７８，７８を同時に正転駆動させればよい。具体的にはテープＴ先端が図２０（Ａ）のａ１’位置において一時停止し、その状態からテープＴの送りを再開するときである。
【０１９８】
しかして便宜上、ローラ７５，７６等の正転および圧胴ローラ２７によるテープＴ面のカラースタンプローラ２４への押圧で印刷が開始され、圧胴ローラ２７のテープＴ面からの退避移動で印刷が終了するとして説明することにする。
【０１９９】
前記テープ供給搬送系７４に続いてテープ送出通路８０が設けられ、このテープ送出通路８０の出口近傍にはテープＴ先端をテープ送出通路８０の出口に保持するガイドローラ８０ａが設けられており、このガイドローラ８０ａと前記テープ送出通路８０に対向するテープガイド７３’（テープＴの表裏面と幅方向のガイドを司る）との間にテープＴ先端が保持される。
【０２００】
上記テープ送出通路８０の出口には、前記テープ巻き付け手段のチャック８１が定位置（図１８に示す位置）にあるときそのチャック８１がそのチャック片８１ａ，８１ａが開放姿勢で臨むように位置されている。
【０２０１】
カッタ６６は、移動するアーム８３の先端にこれと直角の方向に取り付けられており、前記アーム８３の図１８において右方向への移動によりテープＴを所定の位置で切断するようになっている。
【０２０２】
前記テープ供給搬送系７４の傾斜下降搬送域７４ｂの領域に印刷機構２１が配設され、圧胴ローラ２７直後のローラ１９’，１９’の直後の後流位置にテープＴの端部を検知するセンサＳ１，Ｓ１が配設されている。上記印刷機構２１については前述の第１実施形態における印刷機構２１と実質的に同じ構成であるからこれと同一符号を付すに留め、詳細説明は省略する。
【０２０３】
図１８において符号８４は集積部６２に紙幣を立位姿勢で送入するため搬送路６１の末端に設けられた羽根車、８５は集積部６２の底部を構成し、集積紙幣Ｐの紙幣結束部Ｇ１への移行時には軸８６を中心に回動して退去する受け部材、８７，８７は前記クランプ手段６４の各クランプ部材６４ａ，６４ａを離接方向に作動するための作動機構を示す。
【０２０４】
なお、テープ供給搬送系７４（ローラ７８，７８、ローラ７９、ローラ７７，７７、ローラ１９”，１９”、ローラ１９’，１９’、ローラ７５，７６）およびテープ送出通路８０のガイドローラ８０ａが本発明におけるテープ搬送手段に相当する。そしてテープ送出通路８０にもローラ７５，７６に相当する正逆駆動ローラを設けるようにしてもよく、その場合にはこれらの正逆駆動ローラもテープ搬送手段となる。
【０２０５】
またテープ供給搬送系７４と、その搬送系７４に設けられるテープガイド板、その前段のテープ誘導路７２、テープ送出通路８０（テープガイド７３’とガイドローラ８０ａ）、センサＳ１，Ｓ１、テープＴ先端がテープ送出通路８０の出口部に位置したことを検知するセンサＳ３，Ｓ３等により本発明におけるテープ供給通路が構成される。なおこのセンサＳ１，Ｓ１，Ｓ３，Ｓ３等は後述の図１９では便宜上検知部に含めてある。なおここで紙幣結束部Ｇ１の結束空間とはチャック８１の回転時の外周円Ｒ（図１８）の内部空間をいう。
【０２０６】
上記図１９は図１８の実施形態の制御ブロック図であり、図中８８は制御部、８９は集積部６２へ集積すべき紙幣の金種と枚数の指定、印刷有りの結束モード、印刷なしの結束モードの指定を行う操作部である。
【０２０７】
この制御部８８により紙幣分類集積部９１、集積紙幣挟持搬送部９２、紙幣結束収納装置９３が制御され、また検知部９０は、紙幣分類集積部９１、集積紙幣挟持搬送部９２、紙幣結束収納装置９３の各部の位置に配設されているセンサＳ１，Ｓ１，Ｓ３，Ｓ３等を含む。
【０２０８】
ちなみに図１８と図１９との関係は次の通りとなる。すなわち図１９における紙幣分類集積部９１には、図１８における搬送路６１、羽根車８４、集積部６２、その受け部材８５、軸８６等が含まれる。また図１９における集積紙幣挟持搬送部９２には、図１８における集積紙幣挟持搬送機構６３（挟持部材６３ａ，６３ａ）およびその上下・水平移動機構を含む。
【０２０９】
図１９における紙幣結束収納装置９３には、テープリール部６８、テープ供給通路、印刷機構２１、紙幣結束部Ｇ１、図示しない結束紙幣収納部が含まれる。
【０２１０】
次に上記第２実施形態において、印刷無しモード時（図１８に示す圧胴ローラ２７は実線図示の退避位置のまま）で、集積紙幣結束時の一般的な動作を図１８〜図２２を参照して説明する。
【０２１１】
テープリール部６８のテープリール６９から引き出されたテープＴのうち、テープＴ先端は図２０（Ａ）のテープ送出通路８０の出口端位置ａ１に位置し、１束分のテープ長の末端位置はｂ１で示す位置である。そのときのテープＴ先端は、ガイドローラ８０ａと、これに対向してテープ通路を構成するテープガイド７３’との間に保持されている。前記テープＴ先端のａ１位置での停止はセンサＳ３，Ｓ３の検知による。
【０２１２】
一方、テープ巻きつけ手段６５のチャック８１は、テープ送出通路８０の出口に臨む位置（図２０（Ａ）の（イ）位置）に位置される。このときチャック片８１ａ，８１ａは開放状態におかれている。この状態が紙幣結束収納装置９３の結束準備位置（定位置）である（図２０（Ａ））。
【０２１３】
図１９における操作部８９により、印刷無しモードと集積紙幣の金種と集積枚数とが事前に設定されており、集積部６２に設定金種紙幣が設定枚数集積されると、制御部８８によりまず紙幣結束収納装置９３が作動する。
【０２１４】
すなわちテープ供給搬送系７４のローラ７５，７６，１９’，１９’，１９”，１９”，７７，７７，７８，７８がモータＭｘ、電磁クラッチ（１），（２）を通じて所定量正転駆動される。その結果、ガイドローラ８０ａの位置にあったテープＴ先端（図２０（Ａ）のａ１位置）はテープ送出通路８０から結束空間（Ｒの内側）へ所定量突出し、開放状態にあるチャック片８０ａ，８０ａ間に位置して停止する。そのときテープＴ先端は図２０（Ａ）のａ１’位置（テープ挟持予定位置）におかれる。
【０２１５】
次にチャック片８１ａ，８１ａがテープＴ先端を挟持する。この状態でテープＴ先端を挟持したチャック８１は、これを支持するアーム６５ａが軸６５ｂを回転駆動することによりこの軸６５ｂを中心に図２０（Ａ）において反時計方向に旋回動する。
【０２１６】
このアーム６５ａの旋回動に合わせてテープ供給搬送系７４のローラ７５，７６，１９’，１９’，１９”，１９”，７７，７７，７８，７８も正転駆動し、テープＴのチャック８１による挟持位置とテープ送出通路８０の出口との間に弛みを持たせる。
【０２１７】
こうしてチャック８１は円形軌道を画いて図２０（Ａ）の（イ）位置から反時計方向に旋回し、図２０（Ｂ）の（ロ）位置に至って停止する。そのときのテープＴ先端は図２０（Ｂ）においてａ１”位置であり、紙幣１束分のテープ長の末端はｂ１”位置である。
【０２１８】
一方、テープ供給搬送系７４のローラ７５，７６，１９’，１９’，１９”，１９”，７７，７７，７８，７８（以下これらローラの全部が正転または逆転する場合はローラ７５，７６…等と略称する）もチャック８１が図２０（Ｂ）の（ロ）位置に至った時点で停止する。
【０２１９】
チャック８１が図２０（Ｂ）の（ロ）位置に至ったことが図１９の検知部９０のセンサにより検知されると、制御部８８を通じて集積紙幣挟持搬送部９２が駆動される。その結果、挟持部材６３ａ，６３ａが図１８において上昇し、集積部６２に集積された設定枚数の集積紙幣Ｐを挟持して再び下降し、図２０（Ｂ）において結束位置Ｇ２に位置させる。このとき集積紙幣Ｐの下縁は規制片６５Ａ上に乗る。
【０２２０】
挟持部材６３ａ，６３ａは上記の位置で集積紙幣Ｐの挟持を継続する。この挟持部材６３ａ，６３ａによる挟持は、図２２（Ａ）の結束終了直前まで持続され、その時点で集積紙幣Ｐの挟持を解いて図１８の位置まで上昇し、次の集積紙幣Ｐの挟持搬送に備えることになる。
【０２２１】
チャック８１は、集積紙幣Ｐが結束位置Ｇ２に位置したことを図１９の検知部９０で検知することにより図２０（Ｂ）の（ロ）位置から再び反時計方向への旋回を再開し、集積紙幣Ｐの図において左側面に接触した時点で停止する。その位置は図２１（Ａ）における（ハ）位置である。またそのときのテープＴ先端はａ１’’’位置、１束分のテープ長の末端はｂ１’’’位置にある。
【０２２２】
チャック８１が図２０（Ｂ）の（ロ）位置から図２１（Ａ）の（ハ）位置へ移動する期間、テープ供給搬送系７４のローラ７５，７６…等は停止状態のままであるが、集積紙幣Ｐの周囲に巻かれたテープＴの弛みはローラ７５，７６…等によるそれまでのテープＴの送り出しにより保たれている。
【０２２３】
チャック８１が図２１（Ａ）の（ハ）位置に位置した段階で図１８のクランプ手段６４が集積紙幣Ｐを挟持する。このクランプ手段６４は左右一対のクランプ片６４ａ，６４ａを有しており、これらクランプ片６４ａ，６４ａがテープＴの幅方向の両側位置で集積紙幣Ｐの両面を挟持するとともに、テープＴの幅方向両側をガイドし、後述のテープＴ引き戻し時にテープＴを適正な位置におくよう機能する。
【０２２４】
図２１（Ａ）の（ハ）位置へチャック８１が位置しかつクランプ片６４ａ，６４ａが集積紙幣Ｐを挟持したとき、テープ供給搬送系７４のローラ７５，７６，１９’，１９’，１９”，１９”，７７，７７（７８，７８は停止状態）を所定パルス分逆転駆動させ、テープＴの緊張のためその引き戻しの送りに合わせて移動ローラ７９をテープＴ面に押しつけ、傾斜上昇搬送域７４ａから離反する方向へ移動する。
【０２２５】
こうしてテープＴの引き戻しにより集積紙幣Ｐの周囲に巻回されたテープＴは図２１（Ｂ）に示すように緊縛状態となり、この状態でテープ供給搬送系７４のローラ７５，７６…等は停止する。上記図２１（Ｂ）におけるテープＴ先端位置はａ１’’’、１束分のテープ長の末端はｂ１’’’の位置である。
【０２２６】
ここで接着鏝部６７が進出してテープＴの重なり部分を押え、接着開始と共にカッタ６６が進出回動してテープＴを切断し、接着鏝部６７による熱接着が行われたのち接着鏝部６７およびカッタ６６が元位置へ戻る。その状態が図２２（Ａ）であり、そのときのテープＴ先端はａ１’’’、１束分のテープ長の末端はｂ１’’’の位置である。そして切断された次のテープＴ先端はａ１’’’位置にある。
【０２２７】
前記のように接着鏝部６７およびカッタ６６が元位置に復帰した直後に図１９の検知部９０内のセンサがそれを検知してローラ７５，７６，１９’，１９’，１９”，１９”，７７，７７を逆転させ、ローラ７９はテープＴを緊張させるために傾斜上昇搬送域７４ａから離反する方向へ移動する。このときローラ７８，７８は停止状態のままである。
【０２２８】
図２２（Ａ）においてテープＴ先端が切断されたａ１’’’位置から定位置ａ１に復帰すると、センサＳ３，Ｓ３（図１９の検知部９０の１つ）がそれを検知し、ローラ７５，７６…７７，７７を停止させる。この状態で挟持部材６３ａ，６３ａが集積紙幣Ｐの挟持を解き、定位置へ上昇復帰する。
【０２２９】
次にチャック片８１ａ，８１ａがテープＴ先端の挟持解除状態（テープＴは巻かれているので挟持位置にある）となり、図２２（Ｂ）の（ハ）位置のまま紙面に対し裏面方向へ引き抜かれる。
【０２３０】
次いで集積紙幣Ｐの下端縁を支持していた規制片６５Ａが結束済み紙幣の下方への放出に支障をきたさない位置に退避し、その後各クランプ片６４ａ，６４ａが結束済み紙幣の挟持を解く方向（当該紙幣の紙面から離反する左右方向）へ移動し、結束された紙幣束は下方にある収納部（図示せず）へ収納される。
【０２３１】
そのときチャック８１のチャック片８１ａ，８１ａは、図２２（Ｂ）の（ハ）位置でかつ紙面に対し裏面方向の位置にあって開放状態におかれており、その位置から図において時計方向に旋回し、図２２（Ｂ）の（イ）位置へ移動したとき旋回動が停止し、次いでこのチャック８１が紙面に対し表面方向へ進出して次の結束に備える定位置（（イ）位置）に至る。
【０２３２】
この状態において、集積部６２に設定金種紙幣が設定枚数分集積されていると、集積紙幣挟持搬送機構６３により引き続き紙幣結束部Ｇ１への集積紙幣送り込み動作に移り、集積部６２に設定金種紙幣が設定枚数分集積されていない場合は、その所定枚数分が集積された段階で前記の集積紙幣送り込み動作に移る。その動作は前述の通り図２０（Ａ）〜図２２（Ｂ）の工程である。なお図２２（Ｂ）と図２０（Ａ）とは同じ状態である。
【０２３３】
次に上記第２実施形態において集積紙幣Ｐの結束時で印刷モード時、すなわち図２０における圧胴ローラ２７がテープＴ面に選択的に押接してその押接期間にテープＴに印刷を行う場合について説明する。
【０２３４】
この場合は、まず図１９の操作部８９で印刷モードと紙幣の金種と集積枚数とが設定される。
【０２３５】
この設定により、第１実施形態の場合と同様に図４の軸２２を中心に回転ディスク２３が回転し、設定された金種に対応する色のカラースタンプローラ２４が印刷準備位置（図２０（Ａ）示）に位置する。このとき圧胴ローラ２７は、図２０（Ａ）に１点鎖線示す退避位置におかれている。
【０２３６】
この状態で、前記のように金種に対応したカラースタンプローラ２４が印刷準備位置に位置したことが図１９の検知部９０のセンサで検知されたことに基づき制御部８８を通じ紙幣結束収納装置９３のローラ７５，７６，１９’，１９’，１９”，１９”，７７，７７が逆転（ローラ７８，７８は停止状態）し、ローラ７９もテープＴ緊張維持のために前記離反移動をする。
【０２３７】
こうしてテープＴ先端がセンサＳ３，Ｓ３の位置から戻され、センサＳ１，Ｓ１で検知されたときローラ７５，７６，１９’，１９’，１９”，１９”，７７，７７の逆転が停止し、ローラ１９の前記離反移動も停止してその位置に保たれる。
【０２３８】
このように印刷モード時のテープＴ先端位置（図２０（Ａ）においてセンサＳ１，Ｓ１位置、すなわちａ２位置で、印刷用スタート位置）のセットがなされる。
【０２３９】
この状態において図１９の操作部８９を通じスタートボタン操作を行うと、集積部６２へ設定金種の紙幣が順次集積され、設定枚数が集積される。
【０２４０】
設定金種の紙幣が設定枚数集積されると、検知部９０、制御部８８を通じて紙幣結束収納装置９３へ検知信号が入力される。その結果、ローラ７５，７６…等の正転でテープＴの正転送りがなされるとともに、正転送りと同時に圧胴ローラ２７がテープＴをカラースタンプローラ２４に押接（図２０（Ａ）の実線図示状態）してテープＴ面にカラー印刷が行われる。
【０２４１】
テープＴ先端がテープ送出通路８０の出口のガイドローラ８０ａと対向するテープガイド７３’との間に位置したとき（図２０（Ａ）のテープＴ先端のａ１相当位置、そのときの１束分のテープ長の末端のｂ１相当位置のとき）、センサＳ３，Ｓ３のテープＴ先端検知によりモータＭｘが正転駆動を停止し、ローラ７５，７６…等も回転が停止する（図２０（Ａ）の状態）。
【０２４２】
この一時停止時には、圧胴ローラ２７はインクの惨みを防ぐため、カラースタンプローラ２４から一時的に退避している。この状態からローラ７５，７６…等が再度所定量正転駆動され、テープＴ先端は図２０（Ａ）のａ’の位置に位置される。この状態でチャック８１のチャック片８１ａ，８１ａがテープＴ先端をチャックする。
【０２４３】
次にチャック８１がテープＴ先端をチャックした状態で図２０（Ａ）の（イ）位置から同図（Ｂ）の（ロ）位置へ移動して停止する。このチャック８１の上記移動中、ローラ７５，７６…等も正転駆動してテープＴを送り、図２０（Ｂ）の（ロ）位置へチャック８１が移動した段階でローラ７５，７６…等の正転駆動が停止される。
【０２４４】
チャック８１が図２０（Ａ）の（イ）位置から前述の旋回を再開すると、圧胴ローラ２７もテープＴを押圧してテープＴへの印刷を続けるが、テープＴの１束分の印刷がなされた段階で圧胴ローラ２７がテープＴ面から退避する。その退避時期は、チャック８１が図２０（Ａ）の（イ）位置から同図（Ｂ）の（ロ）位置へ至る途中の位置である。
【０２４５】
図２０（Ｂ）において、チャック８１が、（ロ）位置で停止し、ローラ７５，７６…等も停止した状態においてチャック８１が図２０（Ｂ）の（ロ）位置に至ったことが図１９の検知部９０のセンサで検知されると、制御部８８を通じて集積紙幣挟持搬送部９２が駆動される。
【０２４６】
その結果、挟持移送片６３ａ，６３ａが図１８において上昇し、集積部６２に集積された設定枚数の集積紙幣Ｐを挟持して再度下降し、紙幣結束部Ｇ１の結束位置Ｇ２（図２０（Ｂ）に示す位置）に位置する。このとき集積紙幣Ｐの下端縁は規制片６５Ａ上に乗る。
【０２４７】
挟持部材６３ａ，６３ａは引き続きその位置で集積紙幣Ｐの挟持を持続する。この挟持部材６３ａ，６３ａによる挟持は、図２２（Ａ）の結束終了直前まで継続し、その時点で集積紙幣Ｐの挟持を解いて図１８示の位置まで上昇し、次の集積紙幣Ｐの挟持搬送に備える。
【０２４８】
次にチャック８１は、図２０（Ｂ）の（ロ）位置から再び図において反時計方向の旋回を開始し、集積紙幣Ｐの図において左側面に接触した時点で停止する。その状態が図２１（Ａ）の（ハ）位置である。
【０２４９】
チャック８１が図２０（Ｂ）の（ロ）位置から図２１（Ａ）の（ハ）位置へ移動する期間、テープ供給搬送系７４のローラ７５，７６…等は停止状態のままであるが、集積紙幣Ｐの周囲に巻かれたテープＴの弛みはローラ７５，７６…等によるそれまでのテープＴの送り出しにより保たれている。
【０２５０】
チャック８１が図２１（Ａ）の（ハ）位置に位置した段階で図１８のクランプ手段６４が集積紙幣Ｐを挟持する。このクランプ手段６４は、左右一対のクランプ片６４ａ，６４ａを有し、これらクランプ片６４ａ，６４ａはそれぞれテープＴの幅方向両側部の集積紙幣Ｐの両面を挟持するとともに、テープＴの幅方向両側縁をガイドし、テープＴの引き戻し時にテープＴを適正な幅方向位置に位置させる機能を持つ。
【０２５１】
図２１（Ａ）の（ハ）位置にチャック８１が位置しかつクランプ片６４ａ，６４ａが集積紙幣Ｐを挟持したとき、テープ供給搬送系７４のローラ７５，７６，１９’，１９’１９”，１９”，７７，７７（ローラ７８，７８は停止状態）を所定パルス分逆転駆動し、テープＴの緊張のためその引き戻し送りに合わせて移動ローラ７７をテープＴ面に押し付ける。
【０２５２】
こうしてテープＴが引き戻されることにより、集積紙幣Ｐに巻かれているテープＴは図２１（Ｂ）のように緊縛状態となり、この状態でテープ供給搬送系７４のローラ７５，７６…等は停止する。
【０２５３】
ここで接着鏝部６７が進出してテープＴの重なり部分を押さえ、接着開始と共にカッタ６６が進出回動してテープＴを切断し、接着鏝部６７による熱接着が行われたのち接着鏝部６７およびカッタ６６が元位置に戻る。この状態が図２２（Ａ）である。
【０２５４】
接着鏝部６７およびカッタ６６が元位置に復帰した直後に、図１９の検知部９０内のセンサがそれを検知し、ローラ７５，７６，１９’，１９’１９”，１９”，７７，７７を逆転させ、ローラ７９がテープＴを緊張させるため前記離反移動（このときローラ７８，７８は停止のまま）し、図２２（Ａ）においてテープＴ先端が切断されたａ１’’’’相当位置から印刷モード時の定位置（図２２（Ａ）のセンサＳ１，Ｓ１位置、すなわちａ２位置、印刷用スタート位置）に復帰する。
【０２５５】
検知部９０のセンサＳ１，Ｓ１がテープＴ先端を検知すると、制御部８８は紙幣結束収納装置９３中のモータＭｘを停止させ、ローラ７５，７６…等を停止させる。この状態で挟持部材６３ａ，６３ａが集積紙幣Ｐの挟持を解き、定位置（図１８に示す位置）へ上昇復帰する。
【０２５６】
次にチャック片８１ａ，８１ａがテープＴ先端の挟持解除状態となり、図２２（Ａ）に示す位置のまま紙面に対し裏面方向へ引き抜かれる。
【０２５７】
次いで集積紙幣Ｐの下端縁を支持していた規制片６５Ａが結束済み紙幣の下方への放出に支障のない位置へ退避し、その後各クランプ片６４ａ，６４ａが結束済み紙幣の挟持を開放する方向へ移動し、結束紙幣は下方の収納部へ収納される。
【０２５８】
そのときチャック８１のチャック片８１ａ，８１ａは図２２（Ｂ）に１点鎖線で示す（ハ）位置にあって開放状態におかれており、その位置から図において時計方向に旋回して図２２（Ｂ）の（イ）位置へ移動したとき停止し、次にこのチャック８１が紙面に対し表面方向へ進出して次回の結束に備えるべく（図２０（Ａ）と同じ）をとる。なおこのときテープＴ先端は既述の通りセンサＳ１，Ｓ１位置、すなわちａ２の定位置にある。
【０２５９】
この状態において集積部６２に設定金種紙幣が設定枚数分集積されると、引き続き結束動作に移り、集積部６２に設定金種紙幣が設定枚数分集積されていない場合には、設定枚数分が集積された段階で結束動作に入る。その結束動作に関しては前述したと同様に図２０（Ａ）〜図２２（Ｂ）の工程で行われる。
【０２６０】
印刷モード時で金種を変更するときは、図１９の操作部８９により新たな金種と枚数を設定する。これにより図２０（Ａ）の状態において金種に対応するカラースタンプローラ２４が印刷位置へ位置される。また集積部６２の残存紙幣をすべて取り出して空にし、その取り出した紙幣を繰り出し用収納部へ収納して操作部８９のスタートボタンを押せば、設定された金種の印刷モードによる結束が可能な状態となる。
【０２６１】
印刷モードから印刷無しモードへの変更は、操作部８９により印刷無しモードを設定すると図２０（Ａ）においてテープＴ先端がａ２位置からａ１位置へ移行し、結束動作に備える。そして操作部８９のスタートボタン操作で集積部６２への紙幣の集積が開始され、設定枚数分の紙幣が集積されると前述の結束動作に入る。
【０２６２】
上記の第２実施形態においても、印刷機構２１として図１６、図１７に示したインクジェット方式を採用し得ることはもちろんであり、第１実施形態の場合と同様の作用を行わせればよい。
【０２６３】
次に図２３〜図２５により本発明の第３実施形態につき説明する。
【０２６４】
図２３は第３実施形態における集積部の集積形態を示すもので、装填部１００に集積された集積紙幣Ｐが繰り出し機構１０１により１枚ずつ繰り出されて搬送手段１０２により搬送し、その途中に設けられた識別部１０３により金種等が識別されてその識別結果に基づき各金種別集積部１０４１，１０４２，１０４３，１０４４へ振り分けて集積するようになっており、リジエクト紙幣はリジエクト部１０５へ集積するようになっている。
【０２６５】
前記金種別集積部１０４１〜１０４４は紙幣Ｐを立位姿勢で集積するもので、末端に位置する金種集積部１０４４を除く他の金種別集積部１０４１，１０４２，１０４３はその入口部に分岐爪１０６１〜１０６３が設けられ、識別部１０３による識別結果により対応する金種の集積部の分岐爪が切り換って集積させるようになっている。
【０２６６】
上記分岐爪１０６１〜１０６３で分岐された紙幣Ｐは、羽根車１０７１〜１０７４、ベルト１０８１〜１０８４により送り込まれ、受台１０９１〜１０９４上に立位姿勢で集積される。
【０２６７】
前記金種別集積部１０４１〜１０４４の下部には集積紙幣挟持搬送機構（一対の挟持部材１１０を有する）が各集積部１０４１〜１０４４の真下で停止するよう矢印方向に移動自在に設けられ、各金種別集積部１０４１〜１０４４の位置で集積紙幣Ｐを挟持すべく上昇自在とされるとともに紙幣結束部１１１の真上位置で下降して紙幣結束部１１１の前記第２実施形態におけるクランプ部材に受け渡し、結束を行う方式のものである。なお１１２はテープ供給部（第１および第２実施形態におけるテープリール部とテープリール、テープ供給通路、印刷機構に対応する構造を含む）、１１３は結束紙幣収納部、Ｐ’は結束済みの紙幣束を示す。なお紙幣結束部１１１およびテープ供給部１１２は、前記第２実施形態の図１８に示した構造がそのまま用いられる。
【０２６８】
図２４は制御ブロック図を示すもので、図２３との関係は次の通りであり、１１５は制御部である。
【０２６９】
図２４の紙幣分類集積部１１６は、図２３における装填部１００、繰り出し機構１０１、搬送手段１０２、識別部１０３、金種別集積部１０４１〜１０４４、リジェクト部１０５、分岐爪１０６１〜１０６３、羽根車１０７１〜１０７４、ベルト１０８１〜１０８４、受台１０９１〜１０９４を含む。
【０２７０】
また図２４の集積紙幣挟持搬送部１１７には、図２３における挟持部材１１０，１１０の水平移動と上下移動、該挟持部材１１０，１１０による紙幣挟持のための移動、紙幣結束部１１１への挟持送り込み機構、受台１０９１〜１０９４の退避移動機構（挟持部材１１０，１１０による紙幣挟持後の下降時に退避。挟持部材１１０，１１０は図１８の挟持部材６３ａ，６３ａに相当）を含んでいる。
【０２７１】
図２４の紙幣結束収納装置１１８には、図２３の紙幣結束部１１１、テープ供給部１１２、結束紙幣収納部１１３を含んでおり、これら紙幣結束部１１１、テープ供給部１１２は図１８示の第２実施形態と同じ構造である。
【０２７２】
なお図２４の操作部１１９は、印刷モードによる結束、印刷無しモードによる結束の選択、結束枚数設定等を行うものである。
【０２７３】
図２４の検知部１２０は、図２３における識別部１０３を含み、さらに図２４の紙幣分類集積部１１６、集積紙幣挟持搬送部１１７、紙幣結束収納装置１１８に含まれるセンサを含んでいる。
【０２７４】
次に上記第３実施形態による使用モードについて説明する。
【０２７５】
「金種分類バッチモード」
このモードにおいては、通常は集積部１０４１〜１０４４を異る４金種紙幣の設定枚数集積として使用する「金種分類バッチモード」であり、その設定は図２４の操作部１１９で行う。
【０２７６】
装填部１００から送出された紙幣のうち、識別部１０３による識別の結果、正規の前記４金種の紙幣は順次対応する金種用の集積部１０４１〜１０４４に、またそれ以外の金種紙幣とリジェクト紙幣はリジェクト部１０５に集積される。そしていずれかの集積部１０４１〜１０４４の集積紙幣が設定枚数に達したとき、すなわち実際には識別部１０３の識別結果により制御部１１５が前記４金種の紙幣の枚数をチェックしており、いずれかの金種紙幣の枚数が設定枚数に至った段階で装填部１００の紙幣の搬送手段１０２への送出を停止させる。したがって設定枚数に至った或る金種紙幣以降の紙幣は装填部１００から送出されない。
【０２７７】
このようにして例えば集積部１０４１に対する金種の紙幣が設定枚数集積されると、紙幣結束部１１１とテープＴ先端が結束工程に備えた定位置（図２０（Ａ））の位置でテープＴ先端はａ１位置（印刷無しモード）またはａ２位置（印刷モード）に復帰していることを条件にまず図２４の紙幣結束収納装置１１８が作動する。
【０２７８】
すなわち前述の第２実施形態における結束装置（図１８示）が作動し、テープＴが図２０（Ａ）〜（Ｂ）に至る。このとき印刷モードと印刷無しモードとでテープＴ先端はａ２位置（印刷モード時）から、あるいはａ１位置（印刷モード時）からとスタート位置に違いがあることと、印刷モード時はａ２位置から１束分のテープ長に印刷され、印刷無しモードでは印刷されないことと、印刷モードでは集積部１０４１〜１０４４のいずれの金種が設定枚数集積されたかによって、図２４の制御部１１５を通じ紙幣結束収納部１１８の印刷機構２１をその集積済み金種に設定する動作が、集積部１０４１〜１０４４の設定枚数紙幣の紙幣結束部１１１への送り込み前に行われる。
【０２７９】
こうして紙幣結束部Ｇ１（１１１に同じ）のチャック８１が図２０（Ｂ）の（ロ）位置へ至って一時停止した段階（印刷モード時ではその金種のテープ印刷は終わっている）で一対の挟持部材１１０，１１０により設定枚数集積済みの設定金種紙幣の紙幣結束部１１１への送り込みが行われる。
【０２８０】
なお上記一対の挟持部材１１０，１１０は、紙幣結束部１１１の直上の定位置から設定枚数集積された集積部１０４１〜１０４４の下部への横方向移動、次いで上昇移動、設定枚数集積された金種紙幣の挟持、再度の下降、横方向移動を経て図２３の実線図示位置（実際は一対の挟持部材１１０，１１０はその位置よりもっと接近して紙幣を挟持している）に至る。
【０２８１】
上記の動作は、設定金種の４金種のうちいずれか一金種が設定枚数に至ったことが、図２４の制御部１１５で判定されたとき集積紙幣挟持搬送部１１７へ入力されることで行われる。
【０２８２】
こうして一対の挟持部材１１０，１１０で挟持された紙幣が図２３の実線図示位置に位置した段階で集積部１００の紙幣の繰り出しが再開し、正規紙幣はその金種に対応する集積部１０４１〜１０４４に集積され、いずれかの集積部１０４１〜１０４４が設定枚数に達すると前回同様繰り出しが停止する。
【０２８３】
一方、紙幣結束部Ｇ１のチャック８１が図２０（Ｂ）の（ロ）位置に位置しているか否かが制御部１１５で判断される。もしチャック８１が図２０（Ｂ）の（ロ）位置に位置しているときはその時点で、また図２０（Ｂ）の（ロ）位置にチャック８１が位置していないときはそこに位置した段階で一対の挟持部材１１０，１１０が集積紙幣Ｐを図２０（Ｂ）に示す結束位置Ｇ２に位置させてその紙幣の挟持状態を維持する。この動作は前述の図１８の挟持部材６３ａ，６３ａと同じであり、上方への復帰タイミングも同じである。
【０２８４】
このようにして結束工程が図２２（Ａ）の状態になった段階で一対の挟持部材１１０，１１０は挟持を解き、図２３の実線図示位置へ至る。この段階で集積部１０４１〜１０４４のいずれかが設定枚数になっていると、その段階で、また集積部１０４１〜１０４４がいずれも設定枚数に至っていないときはいずれかの集積部１０４１〜１０４４が設定枚数になった段階で一対の挟持部材１１０，１１０を水平移動させ、対応する集積部１０４１〜１０４４の下部に位置させて上昇させ、集積紙幣の挟持、下降移動、水平移動を経て図２３の実線図示位置に位置する。このときは一対の挟持部材１１０，１１０は紙幣を挟持した状態にある。
【０２８５】
一方、集積部１０４１〜１０４４のいずれかの金種紙幣が設定枚数に至った段階で印刷モードが設定されている場合は、紙幣結束部１１１とテープＴ先端が結束工程の開始に備える定位置（図２０（Ａ）の位置でテープＴ先端はａ２位置）に位置していることの検知を条件に印刷機構２１が対応する金種に設定される。
【０２８６】
これは、具体的にはいずれかの集積部１０４１〜１０４４の金種紙幣が識別部１０３と制御部１１５を通じて設定枚数に達したことが判定され、かつ図２０（Ａ）においてチャック８１が、（イ）位置（定位置）に位置していることが図示しないセンサ（図１９の検知部９０に含まれるセンサ）で検知され、またテープＴ先端が図２０（Ａ）のａ２位置に位置されていることがセンサＳ１，Ｓ１で検知された段階で行われる。但し印刷モード時だけで、印刷無しモード時にはこの動作（印刷機構２１の金種設定動作）は行われない。
【０２８７】
このように印刷モードでは、印刷機構２１の金種設定動作が済んだ段階で、また印刷無しモードでは印刷機構２１の金種設定動作は不要であるので、集積部１０４１〜１０４４のいずれかの金種紙幣が設定枚数に至ったことと、紙幣結束部１１１およびテープＴ先端が結束工程の開始に備える定位置（図２０（Ａ）においてチャック８１が定位置である（イ）位置に位置し、テープＴ先端がセンサＳ１，Ｓ１の検知位置であるａ１位置に位置する定位置）に位置した段階で紙幣結束部１１１（図２０（Ａ）のＧ１に同じ）の結束工程が開始される。
【０２８８】
すなわち印刷無しモード時には、テープＴ先端は図２０（Ａ）のａ１位置から、また印刷モード時にはテープＴ先端は図２０（Ａ）のａ２位置（印刷用スタート位置）からテープＴの送りが開始され、前記第２実施形態と同じステップを経て図２０（Ｂ）の（ロ）位置へチャック８１を位置させる。
【０２８９】
一対の挟持部材１１０，１１０が図２３の実線図示位置へ紙幣挟持状態で位置した段階でチャック８１が図２０（Ｂ）の（ロ）位置へ至ったときに、あるいは既に（ロ）位置に至っているときは、直ちに挟持部材１１０，１１０が紙幣を挟持した状態で下降し、集積紙幣を図２０（Ｂ）の１点鎖線図示位置（結束位置Ｇ２）に位置させるとともに、図２１（Ａ）〜図２２（Ｂ）を経て図２０（Ａ）に復帰する。挟持部材１１０，１１０の図２３の実線図示位置への復帰は、前述の通り図２２（Ａ）の段階であり、結束済み紙幣が紙幣結束部Ｇ１から排出され、図２３の結束紙幣収納部１１３へ収納されるのも図２２（Ａ）の段階である。
【０２９０】
上記第３実施形態として示した機械では、図２４の操作部１１９により集積部１０４１〜１０４４に同一金種紙幣を設定枚数ずつ集積する「同一金種バッチモード」に設定することができる。
【０２９１】
「同一金種バッチモード」
この場合、例えば万円紙幣を１００枚ずつ集積し、集積部１０４１に１００枚集積されると集積部１０４２に、この集積部１０４２に１００枚集積されると集積部１０４３に、同様にして集積部１０４４に集積されるようにし、他の金種紙幣はリジェクト紙幣と共にリジェクト部１０５へ収納するようにする。
【０２９２】
この場合、図２４の操作部１１９で同一金種バッチモードが設定されかつ印刷モードと金種が設定された場合は図２０（Ａ）の印刷機構２１を対応する金種のカラースタンプローラ２４に設定する。印刷無しモードであれば当然ながらカラースタンプローラ２４の設定はない。そしてテープＴ先端は、操作部１１９（図２４示）の操作時に印刷無しモード時は、図２０（Ａ）のａ１位置を定位置とし、印刷モード時はａ２位置（図２０（Ａ）、印刷用スタート位置）を定位置として位置が合わされる。その位置合わせは、具体的にはローラ７５，７６等の正逆転により行われる。
【０２９３】
次に動作について説明する。
【０２９４】
まず、図２４の操作部１１９により、同一金種バッチモード、印刷モード、あるいは印刷無しモード、金種を設定する。これによりテープＴ先端のａ１位置またはａ２位置への位置合わせ、印刷モードの場合の印刷機構２１の金種設定が行われる。
【０２９５】
次に装填部１００に紙幣を装填し、図２４の操作部１１９のスタートボタンを押す。集積部１０４１に１００枚の紙幣がバッチされると、分岐爪１０６１が後流側へ搬送可能なように切り換えられ、集積部１０４２へ紙幣を搬送して集積する。その集積枚数が１００枚に至ったら次の集積部１０４３へさらに集積部１０４４へと順次１００枚ずつ集積する。
【０２９６】
このバッチ集積において、集積部１０４１に集積された１００枚の紙幣が一対の挟持部材１１０，１１０に挟持されて紙幣結束部１１１、テープ供給部１１２の結束装置へ送られると、仮に集積部１０４４まで１００枚バッチが行われていたとすると装填部１００からの紙幣の繰り出しは一時停止し、集積部１０４１の１００枚の紙幣が挟持部材１１０，１１０で挟持されてその集積部１０４１から取り出された後、集積部１０４１への集積が再開される。
【０２９７】
また集積部１０４１，１０４２，１０４３が１００枚バッチされ、集積部１０４１のバッチ紙幣の結束が済み、集積部１０４２のバッチ紙幣の紙幣結束部１１１への送り込み段階、例えば紙幣結束部１１１の上部位置で挟持部材１１０，１１０による挟持待機状態、あるいは紙幣結束部１１１への送り込み状態の場合は集積部１０４４への１００枚バッチが続けられる。
【０２９８】
例えば集積部１０４１の１００枚バッチがおこなわれると一対の挟持部材１１０，１１０が集積部１０４１の下部へ横方向移動、その位置での上昇、１００枚バッチ紙幣の挟持部材１１０，１１０による挟持、集積部１０４１下部への下降、図２３の実線図示の一対の挟持部材１１０，１１０位置への復帰（但しこのときの挟持部材１１０，１１０は１００枚バッチ紙幣の挟持状態）を行う。
【０２９９】
一方、集積部１０４１の１００枚バッチが完了したとき、検知部１２０から制御部１１５へ信号が入力され、紙幣結束部Ｇ１およびテープＴ先端が定位置であることを条件に結束工程が開始される。
【０３００】
そしてテープＴ先端が前記ａ１またはａ２位置から図２０（Ｂ）のａ１”位置に至った段階で、挟持部材１１０，１１０が１００枚バッチ紙幣を図２３の紙幣結束部１１１へ、すなわち図２０（Ｂ）の結束位置Ｇ２へ送り込む。
【０３０１】
挟持部材１１０，１１０は図２２（Ａ）時点まで紙幣の挟持を維持した後挟持を解き、上昇して図２３の実線図示位置に位置する。集積部１０４２がバッチ枚数である１００枚に達していると、挟持部材１１０，１１０は集積部１０４２の下部への水平移動、集積部１０４２への上昇移動、集積部１０４２のバッチ紙幣の挟持、集積部１０４２下部への下降、図２３の実線図示位置への復帰を行って図２０（Ｂ）の結束位置への送り込みに備える。
【０３０２】
集積部１０４１のバッチ紙幣は、図２０（Ｂ）から図２１（Ａ），（Ｂ）、図２２（Ａ）を経て結束され、収納部へ放出される。また紙幣結束部Ｇ１は図２２（Ｂ）を経て図２０（Ａ）へ復帰する。
【０３０３】
そのとき集積部１０４２の紙幣がバッチ数である１００枚に達していると、集積部１０４１のバッチ紙幣のときと同様、テープＴ先端を図２０（Ａ）のａ１位置またはａ２位置から図２０（Ｂ）のａ１”位置に位置させる。この時点で挟持部材１１０，１１０が図２３の実線図示位置に待機（バッチ紙幣挟持状態）の場合はその時点で、またその待機状態にない場合は挟持部材１１０，１１０が１００枚のバッチ紙幣を挟持して図２３の実線図示位置へ位置した時点で挟持部材１１０，１１０が図２３の紙幣結束部１１１へ、すなわち図２０（Ｂ）の結束位置Ｇ２へ送り込み、紙幣の結束、放出と、挟持部材１１０，１１０の図２３の実線図示位置への復帰が行われる。
【０３０４】
上記動作は、集積部１０４１のバッチ紙幣の処理と同じである。また集積部１０４３，１０４４のバッチ紙幣の結束、元の集積部１０４１への集積再開後のバッチ紙幣の結束も同様である。
【０３０５】
なお印刷モード時の印刷は、テープＴ先端がａ２位置から１束分のテープ長の送り時に印刷が行われる点は前述の第１、第２実施形態と同様に行われる。
【０３０６】
なお、テープＴへの印刷長に関して付言すると、上記の説明では１束分のテープ長の略全長にわたって印刷する場合を例示したが、図２５（Ａ）に示すように１束分のテープ長Ｌ１のうち内巻き部分（図２５（Ｂ）のＬ２の長さ分）は印刷無しとし、外巻き部分（Ｌ１−Ｌ２）の長さ分のみに印刷するようにしてもよい。
【０３０７】
またその場合のテープＴ先端の印刷用スタート位置を、例えば図２においてセンサＳ１，Ｓ１位置とし、テープ送り時にＬ２のテープ長は無印刷とし、テープ長Ｌ２分が通過したのち圧胴ローラ２７をカラースタンプローラ２４に押しつけるようにすればよい。
【０３０８】
さらに別法としては、圧胴ローラ２７の位置よりＬ２の長さ分だけ下流の位置（圧胴ローラ２７よりセンサＳ１，Ｓ１側の位置）を印刷時のテープＴ先端の定位置（印刷用スタート位置）とする。
【０３０９】
第１〜第３実施形態では、センサＳ１，Ｓ１位置をテープＴ先端位置としているが、このセンサＳ１，Ｓ１を圧胴ローラ２７より長さＬ２分下流位置に設けるようにし、そのセンサＳ１，Ｓ１位置をテープＴ先端の印刷用スタート位置とする。図２０（Ａ）でいうと、センサＳ１，Ｓ１をローラ７５，７６とローラ８０ａとの間のテープ送出通路２０に設けるようにする。
【０３１０】
また第１〜第３実施形態では、テープＴ先端の印刷無しモード時のスタート位置は、チャック３，８１にテープＴを挿入する前段階の位置（結束空間近傍の外部位置）を定位置としているが、開放状態のチャック３，８１へテープＴ先端を挿入した状態を定位置とするようにしてもよい。
【０３１１】
【発明の効果】
以上説明したように本発明によれば、結束すべき集積紙幣の金種を表示する結束テープへの印刷を結束に先立って行うようにしているので、結束すべき集積紙幣の変更に対してもその都度結束テープを交換する必要がなく、したがって集積紙幣を手挿入する紙幣結束機、あるいは多金種の選別計数帯封機等への搭載が可能となり、金種表示結束の高能率化を図ることができる。
【０３１２】
また集積紙幣の結束時には１束分のテープ長のみに金種表示印刷を施すことが可能となるので、金種変更時にテープ上に前回結束した金種の印刷が一部残って金種表示が入り交じるといったことがなく、明確な金種表示を実現することができる。
【図面の簡単な説明】
【図１】本発明による紙幣結束処理機の第１実施形態の外観斜視図。
【図２】同、内部構造を示す正面図。
【図３】同、紙幣の結束状況を示す正面図。
【図４】同、印刷機構部分を取り出して示す斜視図。
【図５】図４の印刷機構によりテープに印刷される金種表示の例示図。
【図６】図２におけるテープのチャックを示す側面図。
【図７】図６のチャックの第１挟持片を示し、（Ａ）は側面図、（Ｂ）は平面図。
【図８】同、第２挟持片を示し、（Ａ）は側面図、（Ｂ）は平面図。
【図９】図２の具体的構成例を示す正面図。
【図１０】同、側面図。
【図１１】図９における移動枠体部分の正面図。
【図１２】同、側面図。
【図１３】図１１、図１２における第１押圧体およびカッタ部分を取り出して示す側面図。
【図１４】同、接着鏝部の正面図。
【図１５】制御ブロック図。
【図１６】図２における印刷機構をインクジエットプリンタとした場合の図２相当図。
【図１７】（Ａ），（Ｂ）はインクジエットプリンタによるテープへの金種表示印刷の例示図。
【図１８】本発明による紙幣結束処理機の第２実施形態の内部構造を示す正面図。
【図１９】図１８の制御ブロック図。
【図２０】（Ａ），（Ｂ）は同、結束動作図。
【図２１】（Ａ），（Ｂ）は同、結束動作図。
【図２２】（Ａ），（Ｂ）は同、結束動作図。
【図２３】紙幣結束処理機の第３実施形態を示す概要図。
【図２４】図２３の制御ブロック図。
【図２５】（Ａ）はテープ長と印刷長の関係、（Ｂ）は結束状態と無印刷域の関係を示す図。
【符号の説明】
（第１実施形態）
３  テープチャック
４  テープ巻き付け部の一部を構成する無端ベルト
１０  カッタ部の一部を構成するテープカッタ
１３  接着鏝部の一部を構成する接着こて
１４  テープリール部
１７  テープ搬送手段を構成する供給搬送系
２０  テープ供給通路
２１  印刷機構
２３  回転ディスク
２４  スタンプローラ
２７  圧胴ローラ
５０  駆動制御部を構成する制御部
５１  モード選択指示部を構成する選択指示部
５２  金種入力手段としての金種指定部
５３  枚数入力手段としての枚数指定部
５４  インクジェットプリンタ
Ｇ１  紙幣結束部
Ｆ  印刷用スタート位置
（第２実施形態）
２１  印刷機構
６２  集積部
６３  集積紙幣挟持搬送機構
６５  テープ巻き付け部を構成するテープ巻き付け手段
６６  カッタ部の一部を構成するカッタ
６７  接着鏝部
６８  テープリール部
７４  テープ供給通路の一部およびテープ搬送手段を構成するテープ供給搬送系
８０  テープ供給通路の一部を構成するテープ送出通路
８１  テープチャック
８８  駆動制御部を構成する制御部
Ｇ１  紙幣結束部
ａ２  印刷用スタート位置
イ  テープ挟持予定位置
（第３実施形態）
１０４１〜１０４４  集積部
１１０  集積紙幣挟持搬送機構の一部を構成する挟持部材
１１１  紙幣結束部
１１２  テープリール部、テープ供給通路、テープ搬送手段が設けられるテープ供給部
１１５  駆動制御部を構成する制御部
【図１】
2004262457.tif 000003
【図２】
2004262457.tif 000004
【図３】
2004262457.tif 000005
【図４】
2004262457.tif 000006
【図５】
2004262457.tif 000007
【図６】
2004262457.tif 000008
【図７】
2004262457.tif 000009
【図８】
2004262457.tif 000010
【図９】
2004262457.tif 000011
【図１０】
2004262457.tif 000012
【図１１】
2004262457.tif 000013
【図１２】
2004262457.tif 000014
【図１３】
2004262457.tif 000015
【図１４】
2004262457.tif 000016
【図１５】
2004262457.tif 000017
【図１６】
2004262457.tif 000018
【図１７】
2004262457.tif 000019
【図１８】
2004262457.tif 000020
【図１９】
2004262457.tif 000021
【図２０】
2004262457.tif 000022
【図２１】
2004262457.tif 000023
【図２２】
2004262457.tif 000024
【図２３】
2004262457.tif 000025
【図２４】
2004262457.tif 000026
【図２５】
2004262457.tif 000027